(57)【要約】  【課題】  入力される映像信号および接続されるモニタ表示装置の組み合わせに応じて最適の色変換処理をして映像を表示する。  【解決手段】  色変換処理装置１００は、入力される映像信号から画像特性情報を抽出し、入力映像信号の種類を判定する。色変換処理装置１００はまた、接続されるモニタ表示装置１４０の表示能力およびモニタプロファイルを、モニタ表示装置１４０が設置される環境の照明特性である観察環境照明特性とともに入力する。そして、入力映像信号の種類（スペクトル映像信号、測色値映像信号、ＲＧＢ映像信号）と、接続されるモニタ表示装置の種類（多原色モニタ、測色値モニタ、ＲＧＢモニタ）との組み合わせに応じ、必要に応じて観察環境照明特性も加味して最適の映像表示が行われるように入力映像信号を処理してモニタ表示装置１４０に表示映像信号を出力する。【選択図】図１
2009094895.tif 000002
【特許請求の範囲】
【請求項１】
入力映像信号に色変換処理を施し、当該色変換処理後の表示映像信号を映像表示部に出力するための色変換処理部と、
前記色変換処理に際して必要となる色変換用特性情報を入力する色変換用特性情報入力部と、
前記色変換処理部で実行可能な複数の色変換処理方法の中から、入力映像信号と入力された色変換用特性情報とに基づいて最適の色変換処理方法を自動的に選択する色変換処理方法選択部と
を有することを特徴とする映像信号処理装置。
【請求項２】
前記色変換用特性情報入力部がさらに、
前記入力映像信号中に含まれる画像特性情報を入力する画像特性情報入力部と、
前記映像表示部の表示特性情報を入力する表示特性情報入力部と
を有し、
前記色変換処理方法選択部は、前記画像特性情報と前記表示特性情報とを含む前記色変換用特性情報に基づき、前記最適の色変換処理方法を選択可能に構成されることを特徴とする請求項１に記載の映像信号処理装置。
【請求項３】
前記色変換用特性情報入力部がさらに、
前記映像表示部に表示される映像を観察する観察者と前記映像表示部とを取り巻く環境の照明光である観察環境照明光の特性を入力する観察環境照明光特性入力部をさらに有し、
前記観察環境照明光特性入力部は、前記観察環境照明光の特性に関連する照明光特性情報を前記観察者が入力可能に構成される照明光特性情報入力部、および前記観察環境照明光の特性を計測して前記照明光特性情報を生成可能な観察環境照明光特性計測部のうち、少なくともいずれかを有することを特徴とする、請求項２に記載の映像信号処理装置。
【請求項４】
前記色変換処理方法選択部はさらに、前記色変換処理によって生成される前記表示映像信号に基づいて前記映像表示部で再現される表示映像の品位を、前記再現される表示映像中に生じるノイズまたは色差に基づいて判定し、前記表示映像の品位の判定結果に基づいて、前記ノイズまたは前記色差が少なくなる色変換方法を前記複数の色変換方法の中から選択可能に構成されることを特徴とする請求項３に記載の映像信号処理装置。
【請求項５】
前記入力映像信号の種類、および前記色変換処理部で実行される前記色変換処理の方法のうち、少なくともいずれかに関連する情報を前記映像表示部に表示するための映像信号を前記映像表示部に出力可能に構成されることを特徴とする請求項１から４のいずれか一つに記載の映像信号処理装置。
【請求項６】
一定の時間区間内に入力された入力映像信号で定義される色度点群の集合を内包する色域を表す図柄を、一定時間ごとに更新しながら前記映像表示部に表示するための映像信号を前記映像表示部に出力可能に構成されることを特徴とする請求項５に記載の映像信号処理装置。
【請求項７】
入力映像信号で定義される色度点を表す図柄を一定時間ごとに更新しながら前記映像表示部に表示するための映像信号を前記映像表示部に出力可能に構成されることを特徴とする請求項５または６に記載の映像信号処理装置。
【請求項８】
前記色変換処理方法選択部は、予め定められた優先順位に従い、前記画像特性情報、前記表示特性情報、前記照明光特性情報、および前記表示映像の品位に基づき、前記複数の色変換方法の候補中で適用可能な色変換方法のうち、優先順位のより高い色変換方法を選択するように構成されることを特徴とする請求項４に記載の映像信号処理装置。
【請求項９】
入力映像信号に色変換処理を施し、当該色変換処理後の表示映像信号を映像表示部に出力するための色変換処理方法において、
前記色変換処理に際して用いられる色変換用特性情報を入力することであって、前記色変換用特性情報は、前記映像表示部の表示特性情報と、前記入力映像信号中に含まれる画像特性情報とを含む、色変換用特性情報を入力することと、
色変換候補を選択することであって、入力された前記色変換用特性情報に基づき、複数の色変換方法の候補中で適用可能な色変換方法のうち、予め定められた優先順位に従って、優先順位のより高い色変換方法を選択する、色変換候補を選択することと
を有することを特徴とする色変換処理方法。
【請求項１０】
前記色変換用特性情報を入力することがさらに、前記映像表示部に表示される映像を観察する観察者と前記映像表示部とを取り巻く環境の照明光である観察環境照明光の照明特性を入力することをさらに含むことを特徴とする、請求項９に記載の色変換処理方法。
【請求項１１】
前記色変換処理によって生成される前記表示映像信号に基づいて前記映像表示部で再現される表示映像の品位を、前記再現される表示映像中に生じるノイズまたは色差に基づいて判定することをさらに有し、
前記色変換候補を選択することは、前記複数の色変換方法の候補中で適用可能な色変換方法のうち、予め定められた優先順位に従って、優先順位のより高い色変換方法を選択する際に、前記表示映像の品位の判定結果も加味し、前記ノイズまたは前記色差が少なくなる色変換方法を選択することをさらに含む
ことを特徴とする請求項１０に記載の色変換処理方法。
【発明の詳細な説明】
【技術分野】
【０００１】
本発明は、色再現性を高度化した映像信号の処理および表示に関するものであり、入力される映像信号の種類と、その映像信号に基づく表示を行う表示装置の性能などに応じて、映像信号を処理して表示装置に出力する映像信号処理装置に関する。
【背景技術】
【０００２】
電子撮像装置で撮像して得られた映像データは、映像信号として表示装置に入力されて表示される。電子撮像装置は、撮像デバイスとしてＣＣＤやＣ−ＭＯＳ等の半導体を用いた個体撮像素子、あるいは電子管などが用いられる。これらの撮像デバイスは、互いに異なる分光感度特性を有している。また、被写界からの光を色分解してカラー映像データを得る際に用いられるダイクロイックプリズム、ダイクロイックミラーや干渉フィルタ、あるいは個体撮像素子の受光面上に直接設けられるオンチップのカラーフィルタもまた、用いる材料等によって異なる分光透過特性を有する。その他、撮影レンズの分光透過特性、電子撮像装置内の信号処理系のレベル・ガンマ（バイアス・トーン）特性等もまちまちであり、色再現特性に差を生じる。
【０００３】
また、表示装置についても、その表示原理、原色数、個々の原色が有する色（色度）などに違いがあり、表示装置の種類によって、表示される映像の色再現性に差を生じる。このように、用いられる電子撮像装置や表示装置が異なる状況で、被写体の色を正しく再現することは容易ではないことが知られている。
【０００４】
被写体の色を再現するための一般的な方法として二つの方法が知られている。すなわち、一つは測色的な色の再現であり、もう一つは赤緑青（ＲＧＢ）による色の再現である。測色的な色の再現においては、例えばＸＹＺ表色系が良く用いられる。これは、赤緑青（ＲＧＢ）の光による３刺激値に基づいた、良く知られた表色系である。光の波長をλで表し、Ｒ、Ｇ、Ｂの等色関数（Ｃｏｌｏｒ  Ｍａｔｃｈｉｎｇ  Ｆｕｎｃｔｉｏｎ  ＝  ＣＭＦ）をそれぞれｘ（λ）、ｙ（λ）、ｚ（λ）、被写体を照明する照明光のスペクトルをＳ（λ）、被写体の反射率スペクトルをＲ（λ）、規格化定数をＫとしたときに、Ｒ、Ｇ、Ｂそれぞれの３刺激値Ｘ、Ｙ、Ｚは、以下に示すように、可視帯域（３８０ｎｍ〜７８０ｎｍ）で積分して求めることができる。
Ｘ＝Ｋ∫｛Ｒ（λ）・ｘ（λ）・Ｓ（λ）｝ｄλ
Ｙ＝Ｋ∫｛Ｒ（λ）・ｙ（λ）・Ｓ（λ）｝ｄλ
Ｚ＝Ｋ∫｛Ｒ（λ）・ｚ（λ）・Ｓ（λ）｝ｄλ
上記の式から明らかなように、上記式で表される被写体の色は、照明光の分光特性や被写体の分光反射率で決まる。
【０００５】
上記の３刺激値から、例えば次の式
ｘ＝Ｘ／（Ｘ＋Ｙ＋Ｚ）
ｙ＝Ｙ／（Ｘ＋Ｙ＋Ｚ）
ｚ＝Ｚ／（Ｘ＋Ｙ＋Ｚ）
によって色度座標値が求められ、色度図上にプロットすることが可能となる。一般的には、撮像装置や表示装置などの性能から、実際に表示可能な色の範囲（色域）はＸＹＺ表色系で定義しうる色域を網羅することはできない。実際に表示しうる色域を示したものがデバイスの色空間などと表現される。
【０００６】
ＲＧＢによる色の再現では一般に、光の３原色を用いた加法混色による色表現が行われる。表示装置の一つであるコンピュータ用モニタ装置に出力される映像信号としてＲＧＢ信号が用いられることが多い。モニタ装置で表示可能なＲＧＢ各原色の色は、モニタ装置のメーカや種類などによって異なっている。そのため、同じ入力信号に対して再現される色はモニタ装置ごとに異なることがある。すなわち、色再現がデバイスに依存してしまう。従って、正確な（デバイスに依存しない）色再現をするためには、入力されるＲＧＢの入力映像信号に対する表示色の基準を定める必要がある。それを実現するための色空間の規格としてｓＲＧＢがある。
【０００７】
上述した表示装置は、３原色に基づいたものであり、表示装置で再現可能な色の色域（ガマット）は、これらの３原色の色度点をＣＩＥ−ｘｙ色度図上にプロットし、プロットした色度点を直線で結んで形成される三角形の面積で表される。最近では、赤緑青の各原色の色がｓＲＧＢよりも彩度の高いもので構成されているＡｄｏｂｅＲＧＢに準じた映像信号を入力可能なワイドガマット表示装置も存在する。
【０００８】
また、最近では３よりも多いバンド数、例えば６バンド、１６バンドといったバンド数で色分解して撮像可能なマルチバンドカメラを用いて撮像し、得られたマルチバンドの映像信号を３よりも多い原色数、例えば６原色を有する多原色表示装置に表示する技術も開発されている。この技術を用いることにより、その多バンドならびに多原色の特性を活かして、より広い色域をもたらすことが可能になるとともに被写体の色を分光的に再現することが可能となる。被写体の色を分光的に再現する際に、被写体の分光反射率や分光放射輝度等のデータを用いて被写体の色を扱うことができる。被写体の分光反射率のデータを用いる方法では、被写体の色を分光反射率で扱う。この方法において行われるＣＣＭ（コンピュータ  カラー  マッチング）は、アイソメトリックマッチと呼ばれる。
【０００９】
ところで、観察者メタメリズムと呼ばれる問題が知られている。この観察者メタメリズムは、眼の分光感度特性（視感度）が人によって異なることによって生じるものであり、近年の色再現技術の分野でも注目されている問題点である。表示装置を観察する観察者の眼の分光感度が標準的な眼の分光感度と異なっている場合、標準的な眼の分光感度を想定して設計された３原色表示装置に表示される映像を観察したときに、意図している色（標準観測者によって感じられる色）とは異なった色に見えることがある。この、眼の分光感度のばらつきや差は、人種の違いによって生じることもある他、同一の人物であっても、加齢や水晶体の病気等によっても生じることが知られている。上記のマルチバンドカメラおよび多原色表示装置を用いて映像の表示を行う際に、上述したＣＣＭによって被写体の分光放射輝度を表すデータを実物の分光放射輝度と合致させると、観察者メタメリズムによって異なる色に見えてしまうのを抑制することが可能となる。このような技術をスペクトル近似法による多原色分解と称することができる。
【００１０】
上述のごとく観察者メタメリズムを抑制することのできる、スペクトル近似法による多原色分解は、究極的に正確な色再現を行う場合に用いられ、医療分野等での利用が期待されている技術である。このような、被写体表面の反射率または放射輝度を用いて被写体の色を再現する手法として、ナチュラルビジョンフォーマットが提案されている。この技術に関して、「ナチュラルビジョン映像データファイルフォーマット  Ｖｅｒｓｉｏｎ  ２．０．０  仕様書」として非特許文献１の巻末にまとめられている。この非特許文献１には、撮影映像信号から被写体の反射率を数学的に導き出す方法が記載されている。また、特許文献１には、１６バンドの帯域を有するマルチバンドカメラで被写体を撮像して得られた撮影信号を、６原色を有する多原色ディスプレイに出力して映像を表示する技術が開示されている。このとき、１６バンド撮影信号を６原色表示信号に変換する際に、マルチバンドカメラの入力プロファイルと多原色ディスプレイの出力プロファイルと色空間変換プロファイルとを用い、入力プロファイルおよび出力プロファイルにはそれぞれの色信号とスペクトルまたは分光反射率との対応関係を与える情報を含み、色空間プロファイルには、等色関数と、上記分光反射率に適用して反射スペクトルを得る照明光スペクトルとのうち、少なくとも一方を含むものが開示されている。
【非特許文献１】ナチュラルビジョン（次世代映像表示・伝送システム）の研究開発プロジェクト、”平成１６年度  ナチュラルビジョンの研究開発プロジェクト［動画］（次世代映像表示・伝送システム）研究開発報告書”、平成１７年３月３１日、独立行政法人情報通信研究機構（拠点研究推進部門）、インターネット＜URL : http://www2.nict.go.jp/q/q262/3107/end102/NVHP(new)/index-j.html＞
【特許文献１】特開２００３−１３４３５１号公報
【発明の開示】
【発明が解決しようとする課題】
【００１１】
上述したように、表示装置で表示する対象の映像としては、マルチバンドカメラで撮像して得られた映像、コンピュータグラフィクスとして制作された映像、従来からあるＲＧＢ３バンドのカメラで撮像して得られる映像などがある。一方で、表示装置も、通常のＲＧＢモニタ装置、ワイドガマットＲＧＢモニタ装置、測色値映像信号を入力可能なモニタ装置、多バンドの映像信号を入力して多原色の表示を行うことの可能なモニタ装置等、様々である。従って、入力映像信号の種類とモニタ装置の種類との組み合わせによっては正しい色で、あるいは入力映像信号中に含まれる色の情報や、モニタ装置の色再現能力をフルに活用した映像の表示ができない場合がある。
【００１２】
本発明は、上述した課題を解決し、入力される映像信号の種類と表示装置の表示能力（色再現能力）との組み合わせに対応して最適の表示映像が得られる技術を提供することを目的とする。
【課題を解決するための手段】
【００１３】
（１）  本発明の第１の態様は、映像信号処理装置に適用され、この映像信号処理装置が、
入力映像信号に色変換処理を施し、当該色変換処理後の表示映像信号を映像表示部に出力するための色変換処理部と、
前記色変換処理に際して必要となる色変換用特性情報を入力する色変換用特性情報入力部と、
前記色変換処理部で実行可能な複数の色変換処理方法の中から、入力映像信号と入力された色変換用特性情報とに基づいて最適の色変換処理方法を自動的に選択する色変換処理方法選択部と
を有することにより上述した課題を解決する。
（２）  本発明の別の態様は、入力映像信号に色変換処理を施し、当該色変換処理後の表示映像信号を映像表示部に出力するための色変換処理方法に適用され、この色変換処理方法が、
前記色変換処理に際して用いられる色変換用特性情報を入力することであって、前記色変換用特性情報は、前記映像表示部の表示特性情報と、前記入力映像信号中に含まれる画像特性情報とを含む、色変換用特性情報を入力することと、
色変換候補を選択することであって、入力された前記色変換用特性情報に基づき、複数の色変換方法の候補中で適用可能な色変換方法のうち、予め定められた優先順位に従って、優先順位のより高い色変換方法を選択する、色変換候補を選択することと
を有するものである。
【発明の効果】
【００１４】
本発明によれば、入力される映像信号の種類と表示装置との組み合わせに応じて、最適の色変換方法が自動的に選択されて色変換処理が行われるので、表示装置の色再現能力を最大限に活かした表示をすることが可能となる。
【発明を実施するための最良の形態】
【００１５】
図１は、本発明の実施の形態に係る色変換処理装置１００の概略的構成を示すブロック図である。色変換処理装置１００は、例えば映像信号出力装置１５０とモニタ表示装置１４０との間に接続されるセットトップボックスとして実施することが可能である。映像信号出力装置１５０は、ビデオカメラ、ビデオデッキ、ビデオ録画／再生装置、ＢＳ放送チューナを含むテレビチューナ、ＣＡＴＶ用アダプタ、コンピュータ等とすることができる。あるいは、色変換処理装置１００はインターネット等のネットワークを介して映像信号を受信することも可能である。色変換処理装置１００は、映像信号出力装置１５０から入力映像信号を受けて処理し、処理済みの表示映像信号をモニタ表示装置１４０に出力する。
【００１６】
ここで、本発明の実施の形態において、色変換処理装置１００が入力しうる映像信号の種類と、色変換処理装置１００に接続しうるモニタ表示装置１４０の種類、そして入力される映像信号と接続されているモニタ表示装置との組み合わせに基づいて選択される映像の表示方法（表示方式）について例示および説明をする。
【００１７】
１．  入力映像信号の種類：
（１−ａ）  スペクトル映像信号
スペクトル映像信号は、４バンド以上、望ましくは６バンド、またはそれ以上のバンドからなるカラー映像信号に、映像入力機器プロファイル等が付加される。本実施の形態においては映像入力機器がカメラであるので、スペクトル映像信号には撮影に用いたカメラのプロファイル（カメラの分光感度特性、トーン特性、およびバイアス値等）と、撮影時に被写体を照明していた光（以下、撮影時に被写体を照明していた光を「撮影照明光」と称する）の影響を除いて被写体の分光反射率を求めるための情報とが付加されている。以下では撮影照明光の影響を除いて被写体の分光反射率を求めるための情報を「Ｄ２Ｒ情報」と称する。このＤ２Ｒとは、入力される映像信号（ディジタルデータ）から被写体の反射率（ｒｅｆｌｅｃｔａｎｃｅ）を求める（推定する）ことに由来して名付けられたもので、「Ｄａｔａ  ｔｏ  Ｒｅｆｌｅｃｔａｎｃｅ」、すなわち「Ｄ  ｔｏ  Ｒ」を意味している。Ｄ２Ｒはマトリクスの形態で提供され、スペクトル映像信号にこのＤ２Ｒマトリクスなどを乗ずることにより被写体の分光反射率を推定することが可能となる。なお、以下の説明中では、スペクトル映像信号はマルチスペクトルカメラを用いて撮影をして得られるものとして説明をするが、他の映像入力機器、例えば４以上のスペクトルで色分解して画像入力を行うマルチスペクトルスキャナから出力されるスペクトル映像信号を扱うことも可能である。また、ＣＧ（コンピュータグラフィクス）の技術を用いて生成されるスペクトル映像信号も色変換処理装置１００は入力可能である。この場合、上述したカメラのプロファイル、撮影照明光のスペクトル、被写体統計情報は、ＣＧ映像制作者の制作意図に従った適宜のものを付加することが可能である。
【００１８】
スペクトル映像信号は、上述したＤ２Ｒ情報に代えて、あるいはＤ２Ｒ情報とともに、Ｄ２Ｓ情報を有する場合がある。このＤ２Ｓ情報もまたＤ２Ｒ情報と同様にマトリクスの形態で提供され、スペクトル映像信号にＤ２Ｓを乗ずることによって被写体の分光放射輝度を求めることが可能である。このＤ２Ｓとは、入力される映像信号（ディジタルデータ）から被写体の分光放射輝度（ｒｅｌａｔｉｖｅ  ｓｐｅｃｔｒａｌ  ｒａｄｉａｎｃｅ）を求める（推定する）ことに由来して名付けられたもので、「Ｄａｔａ  ｔｏ  Ｓｐｅｃｔｒａｌ  ｒａｄｉａｎｃｅ」、すなわち「Ｄ  ｔｏ  Ｓ」を意味している。以下では、スペクトル映像信号がＤ２Ｒ情報を有するものとして説明するが、Ｄ２Ｒ情報に代えて、あるいはＤ２Ｒ情報とともにＤ２Ｓ情報をスペクトル映像信号が有していてもよい。
【００１９】
本発明の実施の形態においては、スペクトル映像信号を用いた映像の再現が最も色域が広く、かつ後述する技術によって、観察者にとってより自然で臨場感のある映像を得ることが可能となる。また、多バンド映像信号によるスペクトル再現により得られる利点として、観察者メタメリズムの少ない映像を得ることが可能となることが挙げられる。
【００２０】
スペクトル映像信号はまず、スペクトル映像信号に対して上述したカメラのプロファイルが適用され、スペクトル映像信号中からデバイス依存性が除去される。続いて、「照明変換」と称される技術を用いて、観察者（表示される映像を観察する者）にとって自然で臨場感のある映像表現をすることを可能とする。この照明変換は、モニタ表示装置に被写体の映像を表示する際に、モニタ表示装置が設置される環境を照明する光（以下、モニタ表示装置が設置される環境を照明する光を「観察環境照明光」と称する）で被写体が照明されているかのような色再現をして表示する技術である。このように表示をすることにより、被写体があたかも観察環境中に存在するかのように観察者には感じられ、より臨場感があって自然な映像を観察することが可能となる。
【００２１】
照明変換の技術においては、スペクトル映像信号に付加される上記Ｄ２Ｒ情報が用いられて、被写体の分光反射率が推定され、分光反射率映像が生成される。この分光反射率映像は、このままでは色を呈しない。すなわち、ある分光反射率を有する物体の表面に何らかの光が当たったときに、この光の分光分布に分光反射率が乗じられたエネルギーとして反射してきたスペクトルが光として色を呈するのであって、分光反射率映像を観ることはできない。そこで、観察環境照明光の分光スペクトルに関する情報が色変換処理装置１００に入力されて分光反射率映像に乗じられる。この処理は「レンダリング」と称され、このレンダリングの処理をする際に適用される観察環境照明光は「レンダリング照明光」と称される。このように照明変換の処理をした結果、被写体が観察環境照明光で照明された状態を再現する映像、すなわち被写体の分光放射輝度を表す映像が生成される。この照明変換の技術に関しては非特許文献１に開示されているので、本明細書中ではその説明を省略する。以下では本発明の理解を容易にするために、スペクトル映像信号は６バンドからなるカラー映像信号であるものとして説明をするが本発明をこれに限定するものではない。
【００２２】
（１−ｂ）  多バンド測色値映像信号
多バンド測色値映像信号は、４バンド以上、望ましくは６バンド、またはそれ以上のバンドからなるカラー映像信号に、撮影に用いたカメラのプロファイル（カメラの分光感度特性、トーン特性、およびバイアス値等）と、この多バンドカラー映像信号からＸＹＺの測色値映像信号を生成するための情報とが付加されている。以下では多バンドカラー映像信号からＸＹＺの測色値映像信号を生成するための情報を「Ｄ２Ｃ」情報と称する。このＤ２Ｃとは、入力される映像信号（ディジタルデータ）から測色値（Ｃｏｌｏｒｉｍｅｔｒｙ）を求めることに由来して名付けられたもので、「Ｄａｔａ  ｔｏ  Ｃｏｌｏｒｉｍｅｔｒｙ」、すなわち「Ｄ  ｔｏ  Ｃ」を意味している。
【００２３】
上記多バンド測色値映像信号が入力された場合には、多バンド測色値映像信号に対して上述したカメラのプロファイルが適用され、多バンド測色値映像信号中からデバイス依存性が除去される。この多バンド測色値映像信号は、上述した照明変換の技術を用いずに測色値表示をするのが一般的である。すなわち、多バンド測色値映像信号から求められるＸＹＺの三刺激値を再現するように表示がなされるのが一般的である。しかし、観察者が観察者メタメリズムを少しでも軽減したいと望む場合や、上述した照明変換の技術を用いた表示を望む場合には、擬似的にではあるがスペクトル近似表示を行うこともできる。以下では多バンド測色値映像信号に基づいてスペクトル近似表示を行う技術を「疑似スペクトル近似表示」と称する。
【００２４】
多バンド測色値映像信号にはＤ２Ｒ情報が付加されていないので、直接的に被写体の分光反射率映像を生成することはできない。そこで、撮影照明光の分光スペクトルを推定ないしは仮定する。その後、上述した照明変換の技術を用いて被写体の分光放射輝度を表す映像を生成して表示する。あるいは、推定ないしは仮定した分光スペクトルを有する撮影照明光で被写体が照明された場合の被写体の分光放射輝度を求めて映像を生成することも可能である。上記のように撮影照明光の分光スペクトルを推定ないしは仮定して表示を行うことから「疑似スペクトル近似表示」と称する。この疑似スペクトル近似表示によれば、必ずしも正確ではないが見た目が自然に近い映像を得ることができる。以下では本発明の理解を容易にするために、多バンド測色値映像信号は６バンドからなるカラー映像信号であるものとして説明をするが本発明をこれに限定するものではない。
【００２５】
（１−ｃ）  測色値映像信号
測色値映像信号は、被写体の分光放射輝度分布を表す三刺激値ＸＹＺで表される映像信号、あるいはＬ＊ａ＊ｂ＊、Ｌ＊ｕ＊ｖ＊、Ｌ＊ｃ＊ｈ＊等の表色系で表される映像信号を含む。デバイス依存性が最小化されていて、かつ色空間を広くとることが可能な点で従来のＲＧＢ映像信号に比して優れるが、スペクトルの情報は失われているので観察者メタメリズムの問題は生じうる。なお、映像入力装置、映像信号処理装置、モニタ表示装置等の各デバイス間でカラーマッチングがとられたシステムで授受されるｓＲＧＢ映像信号も広義には測色値映像信号であるとみなすことができる。以下では本発明の理解を容易にするために、測色値映像信号はＸＹＺのカラー映像信号であるものとして説明をするが本発明をこれに限定するものではない。
【００２６】
（１−ｄ）  ＲＧＢ映像信号
従来のカメラ信号のように、色管理がなされていない所謂デバイス依存な映像信号である。ＲＧＢ映像信号としては、Ｙ／Ｃ分離アナログコンポジットビデオ信号、アナログまたはディジタルのＹＵＶコンポーネントビデオ信号、アナログまたはディジタルのコンポーネントＲＧＢビデオ信号などを含む、ＲＧＢの各値を定義可能なアナログ、ディジタルの映像信号がある。以下では本発明の理解を容易にするために、ＲＧＢ映像信号はディジタルのコンポーネントＲＧＢビデオ信号であるものとして説明をするが本発明をこれに限定するものではない。
【００２７】
２．  モニタ表示装置の種類
（２−ａ）  多原色モニタ
多原色モニタは、４以上、望ましくは６、またはそれ以上の原色による映像を表示可能なモニタ装置である。多原色モニタの表示特性を表すディスプレイ特性情報として、原色スペクトルデータ、バイアススペクトルデータ、階調データがあり、これらのデータを何らかの手段によって色変換処理装置１００に入力することにより、色変換処理装置１００は後で詳細に説明するように、モニタ表示装置１４０に入力する前の映像信号に対してモニタ表示特性補正処理を行う。これにより、多原色モニタの表示特性に依存しない、より正確な色再現の映像表示を実現することが可能となる。多原色モニタには、上述したスペクトル映像信号、多バンド測色値映像信号、測色値映像信号、およびＲＧＢ映像信号のいずれかに基づく映像を表示することが可能である。以下では本発明の理解を容易にするために、多原色モニタはＲＧＢＯＣＰ（赤、緑、青、橙、シアン、紫）を原色とする６原色モニタであるものとして説明をするが本発明をこれに限定するものではない。
【００２８】
（２−ｂ）  測色値モニタ
測色値モニタは、ＸＹＺ等、三刺激値で表される映像信号を入力して測色値表示をすることが可能なモニタである。測色値表示とは、被写体の分光放射輝度から求められる測色値を再現するように映像を表示することであって、被写体の分光放射輝度から求められる三刺激値とモニタに表示される映像の三刺激値とが略一致するように表示することを意味する。この観点から、測色値モニタはＸＹＺの映像信号を入力可能なモニタに限られず、ＸＹＺ値から一義的に求められる値（信号）に変換して表示可能なモニタも含まれる。ｓＲＧＢモニタのようにデバイス依存性のない表示が可能なモニタ、あるいはキャリブレーションをしたＲＧＢモニタであって、入力されるｓＲＧＢ等の映像信号に対してデバイス依存性のない表示が可能なモニタも、広義には測色値モニタであると定義することができる。測色値モニタには、測色値映像信号またはＲＧＢ映像信号に基づく映像を表示することが可能である。以下では本発明の理解を容易にするために、測色値モニタはＸＹＺの測色値映像信号を入力可能なモニタであるものとして説明をするが本発明をこれに限定するものではない。
【００２９】
ところで、測色値モニタは一般的に、その内部にモニタ表示特性補正用のテーブルを有していて、入力された測色値映像信号に対してモニタ表示特性補正の処理をした上で表示をする。測色値モニタがモニタ表示特性補正機能を有していない場合には、測色値モニタの表示特性に関連する情報をモニタキャリブレーション等の方法によって取得し、その情報に基づいて色変換処理装置１００がモニタ表示特性補正の処理をして測色値モニタに映像信号を出力するように構成することも可能である。以下の説明では、測色値モニタが、その内部にモニタ表示特性補正用のテーブルを有していて、入力された測色値映像信号に対してモニタ表示特性補正の処理をした上で表示をするものとして説明をするが、本発明をこれに限定するものではない。
【００３０】
（２−ｃ）  ＲＧＢモニタ
ＲＧＢモニタは、従来からあるテレビやＰＣ（パーソナルコンピュータ）用モニタ等、キャリブレーション機能を有しておらず、デバイス依存性のない表示をすることのできない、ＲＧＢ３原色のモニタを意味する。ＲＧＢモニタにはコンポジットビデオ信号、コンポーネントビデオ信号を含むＲＧＢ映像信号に基づく映像のみを表示することが可能である。以下では本発明の理解を容易にするために、ＲＧＢモニタはディジタルのコンポーネントＲＧＢビデオ信号を入力可能なモニタであるものとして説明をするが本発明をこれに限定するものではない。
【００３１】
３．  表示される映像の種類
（３−ａ）  多原色モニタに対して表示される映像
モニタ表示装置１４０として多原色モニタが色変換処理装置１００に接続されている場合について説明する。
【００３２】
（３−ａ−１）  スペクトル近似再現表示
入力映像信号がスペクトル映像信号の場合、色変換処理装置１００はスペクトル映像信号に対して上述したカメラのプロファイルを適用し、スペクトル映像信号中からカメラのデバイス依存性を除去する。続いて、Ｄ２Ｒ情報、観察環境照明光の情報に基づいて照明変換の処理を行い、モニタ表示特性補正の処理を行ってモニタ表示装置１４０にスペクトル近似再現表示のための映像信号（ＲＧＢＯＣＰ信号）を出力する。
【００３３】
（３−ａ−２）  多バンド測色値映像信号に基づく疑似スペクトル近似表示
これは、入力映像信号が多バンド測色値映像信号であるがユーザ（モニタ表示装置に表示される映像を観察する者）が疑似スペクトル近似表示を望んだ場合の表示形態である。色変換処理装置１００は、多バンド測色値映像信号に対して上述したカメラのプロファイルを適用して補正後の多バンド測色値映像信号を生成し、Ｄ２Ｃ情報を適用して被写体の多バンド測色値映像を生成する。続いて色変換処理装置１００は、上記のようにして求められた多バンド測色値映像信号から被写体の分光反射率を推定（あるいは仮定）する。色変換処理装置１００は、被写体の推定された分光反射率、観察環境照明光の情報に基づいて照明変換の処理を行い、モニタ表示特性補正の処理を行ってモニタ表示装置１４０に疑似スペクトル近似表示のための映像信号（ＲＧＢＯＣＰ信号）を出力する。
【００３４】
（３−ａ−３）  ＸＹＺ測色値映像信号に基づく疑似スペクトル近似表示
入力映像信号がＸＹＺ測色値映像信号であるがユーザが疑似スペクトル近似表示を望んだ場合、色変換処理装置１００はＸＹＺ測色値映像信号から被写体の分光反射率を推定（あるいは仮定）する。色変換処理装置１００は、被写体の推定された分光反射率、観察環境照明光の情報に基づいて照明変換の処理を行い、モニタ表示特性補正の処理を行ってモニタ表示装置１４０に疑似スペクトル近似表示のための映像信号（ＲＧＢＯＣＰ信号）を出力する。
【００３５】
（３−ａ−４）  多バンド測色値映像信号に基づく測色値表示
色変換処理装置１００は、入力される多バンド測色値映像信号に対してカメラのプロファイルを適用し、Ｄ２Ｃ情報を適用して一旦ＸＹＺ測色値映像信号を生成する。その後色変換処理装置１００は、ＸＹＺ測色値をもとに、モニタ表示装置１４０に入力するための６原色（ＲＧＢＯＣＰ）に変換する処理を行い、モニタ表示特性補正の処理を行ってモニタ表示装置１４０に多バンド測色値表示のための映像信号（ＲＧＢＯＣＰ信号）を出力する。この多バンド測色値に基づく測色値表示は、ユニキャストのような形態で可能性の表示形態である。例えば、クライアント（映像信号を受信する側）から観察環境照明情報が映像信号送出サーバに送られて、サーバ側で照明変換の処理まで行い、その処理結果が多バンド測色値映像信号としてクライアント側に送出される。
【００３６】
（３−ａ−５）  ＸＹＺ測色値映像信号に基づく測色値表示
色変換処理装置１００は、入力されるＸＹＺ測色値映像信号をもとに、モニタ表示装置１４０に入力するための６原色（ＲＧＢＯＣＰ）に変換する処理（３−６変換処理）を行い、モニタ表示特性補正の処理を行ってモニタ表示装置１４０にＸＹＺ測色値表示のための映像信号（ＲＧＢＯＣＰ信号）を出力する。この３−６変換処理に際しては、モニタプロファイル情報などに基づいて予め生成されるＬＵＴ（ルックアップテーブル）が参照される。
【００３７】
（３−ａ−６）  多バンドまたはＸＹＺ測色値映像信号に基づくＲＧＢ表示
色変換処理装置１００は、入力される映像信号が多バンド測色値映像信号である場合には、入力される多バンド測色値映像信号に対してカメラのプロファイルを適用し、Ｄ２Ｃ情報を適用してＸＹＺ測色値映像信号を生成する。色変換処理装置１００はさらに、ＸＹＺ測色値映像信号に対して３×３の変換マトリクスを乗じてＲＧＢ映像信号を生成する。あるいは、色変換処理装置１００は、入力される映像信号がＸＹＺ測色値映像信号である場合には、入力されるＸＹＺ測色値映像信号に対して３×３の変換マトリクスを乗じてＲＧＢ映像信号を生成する。その後、色変換処理装置１００は、以下の計算式を用いて上記のように生成したＲＧＢ映像信号からモニタ表示装置１４０に出力するための映像信号（ＲＧＢＯＣＰ信号）を生成する。すなわち、上記のように生成されたＲＧＢ映像信号のＲＧＢ値をそれぞれｒ，ｇ，ｂとし、出力すべきＲＧＢＯＣＰ映像信号のＲＧＢＯＣＰ値をそれぞれＲ，Ｇ，Ｂ，Ｏ，Ｃ，Ｐとしたときに、
Ｒ＝ｒ／２  ，  Ｏ＝ｒ／２
Ｇ＝ｇ／２  ，  Ｃ＝ｇ／２
Ｂ＝ｂ／２  ，  Ｐ＝ｂ／２
で求めることが可能である。無論、上記の式は一例を示したものにすぎず、適宜の式、変換マトリクス、あるいはＬＵＴを用いてｒ，ｇ，ｂからＲ，Ｇ，Ｂ，Ｏ，Ｃ，Ｐの各値を求めることができる。色変換処理装置１００は、上述のようにして得られた映像信号（ＲＧＢＯＣＰ信号）にモニタ表示特性補正の処理を行ってモニタ表示装置１４０にＲＧＢ映像信号を表示するための映像信号を出力する。
【００３８】
（３−ａ−７）  ＲＧＢ映像信号に基づくＲＧＢ表示
ＲＧＢＯＣＰを原色として有するモニタ表示装置にＲＧＢ映像信号に基づく表示をする場合、色変換処理装置１００は、以下の計算式を用いて入力ＲＧＢ映像信号からモニタ表示装置１４０に出力するための映像信号（ＲＧＢＯＣＰ信号）を生成する。すなわち、入力されるＲＧＢ映像信号のＲＧＢ値をそれぞれｒ，ｇ，ｂとし、出力すべきＲＧＢＯＣＰ映像信号のＲＧＢＯＣＰ値をそれぞれＲ，Ｇ，Ｂ，Ｏ，Ｃ，Ｐとしたときに、
Ｒ＝ｒ／２  ，  Ｏ＝ｒ／２
Ｇ＝ｇ／２  ，  Ｃ＝ｇ／２
Ｂ＝ｂ／２  ，  Ｐ＝ｂ／２
で求めることが可能である。無論、上記の式は一例を示したものにすぎず、適宜の式、変換マトリクス、あるいはＬＵＴを用いてｒ，ｇ，ｂからＲ，Ｇ，Ｂ，Ｏ，Ｃ，Ｐの各値を求めることができる。色変換処理装置１００は、上述のようにして得られた映像信号（ＲＧＢＯＣＰ信号）にモニタ表示特性補正の処理を行ってモニタ表示装置１４０にＲＧＢ映像信号を表示するための映像信号を出力する。
【００３９】
（３−ｂ）  測色値モニタに対して表示される映像
モニタ表示装置１４０として測色値モニタが色変換処理装置１００に接続されている場合について説明する。
【００４０】
（３−ｂ−１）  スペクトル映像信号に基づく測色値表示
入力映像信号がスペクトル映像信号の場合、色変換処理装置１００はスペクトル映像信号に対して上述したカメラのプロファイルを適用し、スペクトル映像信号中からカメラのデバイス依存性を除去する。色変換処理装置１００は続いて、Ｄ２Ｒ情報、観察環境照明光の情報に基づいて照明変換の処理を行い、等色関数を乗じてＸＹＺ測色値映像信号を生成し、測色値モニタに出力する。
【００４１】
（３−ｂ−２）  多バンド測色値映像信号に基づく測色値表示
色変換処理装置１００は、入力される多バンド測色値映像信号に対してカメラのプロファイルを適用し、Ｄ２Ｃ情報を適用してＸＹＺ測色値映像信号を生成し、測色値モニタ出力する。
【００４２】
（３−ｂ−３）  ＸＹＺ測色値映像信号に基づく測色値表示
色変換処理装置１００は、入力されるＸＹＺ測色値映像信号に対して特に処理をすることなく測色値モニタに出力する。
【００４３】
（３−ｂ−４）  ＲＧＢ映像信号に基づくＲＧＢ表示
ＸＹＺモニタ表示装置にＲＧＢ映像信号に基づく表示をする場合、色変換処理装置１００は、入力ＲＧＢ映像信号に３×３の変換マトリクスを乗じてモニタ表示装置１４０に出力するための映像信号（ＸＹＺ信号）を生成する。なお、この処理でＲＧＢ映像信号からＸＹＺ信号が生成されるが、元のＲＧＢ映像信号は測色値映像信号ではないので、得られるＸＹＺ信号も測色値ではない。
【００４４】
（３−ｃ）  ＲＧＢモニタに対して表示される映像
モニタ表示装置１４０としてＲＧＢモニタが色変換処理装置１００に接続されている場合について説明する。
【００４５】
（３−ｃ−１）  スペクトル映像信号に基づくＲＧＢ表示
入力映像信号がスペクトル映像信号の場合、色変換処理装置１００はスペクトル映像信号に対して上述したカメラのプロファイルを適用し、スペクトル映像信号中からカメラのデバイス依存性を除去する。色変換処理装置１００は続いて、Ｄ２Ｒ情報、観察環境照明光の情報に基づいて照明変換の処理を行い、等色関数を乗じてＸＹＺ測色値映像信号を生成する。色変換処理装置１００はさらに、ＸＹＺ測色値映像信号に対して３×３の変換マトリクスを乗じてＲＧＢ映像信号を生成し、モニタ表示装置１４０に出力する。このとき色変換処理装置１００は、モニタ表示特性を補正するためのＬＵＴ変換処理をＲＧＢ映像信号に施してからモニタ表示装置１４０に出力してもよい。
【００４６】
（３−ｃ−２）  多バンド測色値映像信号に基づくＲＧＢ表示
色変換処理装置１００は、入力される多バンド測色値映像信号に対してカメラのプロファイルを適用し、Ｄ２Ｃ情報を適用してＸＹＺ測色値映像信号を生成する。色変換処理装置１００はさらに、ＸＹＺ測色値映像信号に対して３×３の変換マトリクスを乗じてＲＧＢ映像信号を生成し、モニタ表示装置１４０に出力する。このとき色変換処理装置１００は、モニタ表示特性を補正するためのＬＵＴ変換処理をＲＧＢ映像信号に施してからモニタ表示装置１４０に出力してもよい。
【００４７】
（３−ｃ−３）  ＸＹＺ測色値映像信号に基づくＲＧＢ表示
色変換処理装置１００は、入力されるＸＹＺ測色値映像信号に対して３×３の変換マトリクスを乗じてＲＧＢ映像信号を生成し、モニタ表示装置１４０に出力する。このとき色変換処理装置１００は、モニタ表示特性を補正するためのＬＵＴ変換処理をＲＧＢ映像信号に施してからモニタ表示装置１４０に出力してもよい。
【００４８】
（３−ｃ−４）  ＲＧＢ映像信号に基づくＲＧＢ表示
色変換処理装置１００は、入力されるＲＧＢ映像信号に対して特に処理をすることなくモニタ表示装置１４０に出力する。あるいは、色変換処理装置１００は、モニタ表示特性を補正するためのＬＵＴ変換処理をＲＧＢ映像信号に施してからモニタ表示装置１４０に出力してもよい。
【００４９】
４．  映像の表示形態が予定されていたものと異なるものとなる例
以上では、色変換処理装置１００に接続されうるモニタ表示装置の種類、入力されうる映像信号の種類について説明し、さらに色変換処理装置１００に入力される映像信号の種類と、接続されるモニタ表示装置の種類との組み合わせに応じてどのような表示形態で映像が表示されるかについて説明した。しかし、以下に説明するような状況によっては、必ずしも以上に説明した表示形態の映像表示が行われない場合がある。そのような状況となるのは、モニタ表示装置１４０に表示される映像にノイズが発生する場合、あるいは色差が大きくなる場合等、表示映像の品位が低下する可能性を有している場合である。
【００５０】
最初に、映像にノイズが発生する場合について説明する。本明細書中で説明するノイズとは、モニタ表示装置に表示される映像中に認識される、不自然な階調の飛び（トーンジャンプ）によって生じるブロックノイズ状のものを意味している。表示される映像が静止画である場合には、階調が緩やかに変化する部分でこのノイズが認識されることがある。表示される映像が動画である場合には、ある瞬間に表示される画像（フレーム）中の階調が緩やかに変化する部分でこのノイズが認識されることがある。また、時間的に隣接する画像間で同じ、あるいは近接する画素位置において色が比較的緩やかに変化する場合にフリッカ（画面のちらつき）のようなノイズとして感じられることがある。
【００５１】
上述したノイズは、表示される色によって発生のしやすさが異なる。色変換処理装置１００は、後で詳細に説明するように、入力される映像信号に対して色変換の処理をし、モニタ表示装置１４０で表示する色がノイズを発生しうる色であるかどうかを逐次判定して、ノイズを発生しうる色であると判定されるときには異なる色変換方法で色変換の処理を行い、生成した処理済み表示映像信号をモニタ表示装置１４０に出力する。
【００５２】
続いて色差が大きくなる場合について説明する。測色値映像信号に基づく映像表示を行う場合、モニタ表示装置の仕様によっては、測色値映像信号によって定義される色とモニタ表示装置で再現される色との間に生じる色差が大きくなることがある。その原因の一つがモニタ表示装置で再現可能な色の色域の広さにある。すなわち、測色値映像信号によって定義される色が、モニタ表示装置で再現可能な色域（ガマット）から外れていると、色差を生じる。この色差が所定の大きさを超すと、表示される映像にノイズが目立つようになる。また、別の原因としては、測色値映像信号とモニタ表示装置で再現される映像とで階調の分解能（量子化の分解能）に違いがある場合に色差を生じることがある。例えば測色値映像信号が１２ビットのＸＹＺ信号である一方、モニタ表示装置がＸＹＺ各々に対して８ビットの分解能しか有していない場合に色差を生じる場合がある。以上に説明した色差が所定の大きさを超す場合には、測色値表示に代えてＲＧＢ表示をすることが望ましい。
【００５３】
ここで、入力映像信号の種類と接続されるモニタ表示装置の種類との組み合わせに基づいて予め決められている、スペクトル近似再現表示、疑似スペクトル近似表示、測色値表示等の表示形態に対して、上述したノイズや色差の発生が予測されるために異なる表示形態で表示を行う例について説明する。
【００５４】
（４−ａ）  多原色モニタに対して表示される映像
モニタ表示装置１４０として多原色モニタが色変換処理装置１００に接続されている場合について説明する。モニタ表示装置１４０として多原色モニタが色変換処理装置１００に接続されている場合、モニタ表示装置１４０には以下に示す順に表示方式の優先順位が定められている。すなわち、
１）スペクトル近似再現表示
２）多バンド測色値映像信号に基づく疑似スペクトル近似表示
３）ＸＹＺ測色値映像信号に基づく疑似スペクトル近似表示
４）多バンド測色値映像信号に基づく測色値表示
５）ＸＹＺ測色値映像信号に基づく測色値表示
６）多バンドまたはＸＹＺ測色値映像信号に基づくＲＧＢ表示
７）ＲＧＢ映像信号に基づくＲＧＢ表示
である。色変換処理装置１００は、入力映像信号の種類と、ノイズや色差の発生可能性をみながら、上述した優先順位に従って、可能な表示方式中で優先順位のより高いものから順に表示を試みるように構成されている。
【００５５】
（４−ａ−１）  入力映像信号：スペクトル映像信号
入力映像信号がスペクトル映像信号である場合、通常は上述した表示優先順位に従い、スペクトル近似再現表示をするべく、色変換の処理がなされる。しかし、ノイズの発生が予測される場合には、色変換処理装置１００は多バンド測色値に基づく測色値表示を試みる。それでも表示される映像の品位を低下させるノイズの発生あるいは色差の発生が予測される場合には、ＲＧＢ表示に切り替える。この場合、６バンドのスペクトル映像信号からＸＹＺの測色値信号を生成し、ＸＹＺの測色値信号からＲＧＢ信号を生成し、このＲＧＢ信号からＲＧＢＯＣＰの表示映像信号を生成する。ＲＧＢ信号からＲＧＢＯＣＰの表示映像信号を生成する方法としては先に（３−ａ−７）で説明した方法が利用可能である。
【００５６】
（４−ａ−２）  入力映像信号：多バンド測色値映像信号
入力映像信号が多バンド測色値映像信号で、ユーザが疑似スペクトル近似表示を希望する場合には多バンド測色値に基づく疑似スペクトル近似表示をするべく、色変換の処理がなされる。しかし、ノイズの発生が予測される場合には、色変換処理装置１００は多バンド測色値に基づく測色値表示を試みる。この多バンド測色値に基づく測色値表示は、入力映像信号が多バンド測色値映像信号でユーザが上記疑似スペクトル近似表示を希望しない場合の表示形態でもある。この多バンド測色値に基づく測色値表示をしようとした結果、表示される映像の品位を低下させるノイズの発生あるいは色差の発生が予測される場合には、ＲＧＢ表示に切り替える。この場合、多バンドの測色値映像信号からＸＹＺの測色値信号を生成し、ＸＹＺの測色値信号からＲＧＢ信号を生成し、このＲＧＢ信号からＲＧＢＯＣＰの表示映像信号を生成する。ＲＧＢ信号からＲＧＢＯＣＰの表示映像信号を生成する方法としては先に（３−ａ−７）で説明した方法が利用可能である。
【００５７】
（４−ａ−３）  入力映像信号：ＸＹＺ測色値映像信号
入力映像信号がＸＹＺ測色値映像信号で、ユーザが疑似スペクトル近似表示を希望する場合にはＸＹＺ測色値に基づく疑似スペクトル近似表示をするべく、色変換の処理がなされる。しかし、ノイズの発生が予測される場合には、色変換処理装置１００はＸＹＺ測色値に基づく測色値表示を試みる。このＸＹＺ測色値に基づく測色値表示は、入力映像信号がＸＹＺ測色値映像信号でユーザが上記疑似スペクトル近似表示を希望しない場合の表示形態でもある。このＸＹＺ測色値に基づく測色値表示を試みた結果、表示される映像の品位を低下させるノイズの発生あるいは色差の発生が予測される場合には、ＲＧＢ表示に切り替える。この場合、ＸＹＺの測色値信号からＲＧＢ信号を生成し、このＲＧＢ信号からＲＧＢＯＣＰの表示映像信号を生成する。ＲＧＢ信号からＲＧＢＯＣＰの表示映像信号を生成する方法としては先に（３−ａ−７）で説明した方法が利用可能である。
【００５８】
（４−ｂ）  測色値モニタに対して表示される映像
モニタ表示装置１４０として測色値モニタが色変換処理装置１００に接続されている場合について説明する。モニタ表示装置１４０として測色値モニタが色変換処理装置１００に接続されている場合、モニタ表示装置１４０には以下に示す順に表示方式の優先順位が定められている。すなわち、
１）スペクトル映像信号に基づく測色値表示
２）多バンド測色値映像信号に基づく測色値表示
３）ＸＹＺ測色値映像信号に基づく測色値表示
４）スペクトル映像信号、多バンド測色値映像信号、またはＸＹＺ測色値映像信号に基づくＲＧＢ表示
５）ＲＧＢ映像信号に基づくＲＧＢ表示
である。色変換処理装置１００は、入力映像信号の種類と、ノイズや色差の発生可能性をみながら、上述した優先順位に従って、可能な表示方式中、優先順位のより高いものから順に表示を試みるように構成されている。
【００５９】
（４−ｂ−１）  入力映像信号：スペクトル映像信号
入力映像信号がスペクトル映像信号である場合、通常は上記（３−ｂ−１）で説明した手順に従ってＸＹＺの測色値表示をするべく色変換の処理を行う。ここで表示される映像の品位を低下させるノイズの発生あるいは色差の発生が予測される場合には、上記手順で得られたＸＹＺ測色値信号からＲＧＢ表示映像信号を生成する。
【００６０】
（４−ｂ−２）  入力映像信号：多バンド測色値映像信号
入力映像信号が多バンド測色値映像信号である場合、通常は上記（３−ｂ−２）で説明した手順に従ってＸＹＺの測色値表示をするべく色変換の処理を行う。その結果、表示される映像の品位を低下させるノイズの発生あるいは色差の発生が予測される場合には、上記手順で得られたＸＹＺ測色値信号からＲＧＢ表示映像信号を生成する。
【００６１】
（４−ｂ−３）  入力映像信号：ＸＹＺ測色値映像信号
入力映像信号がＸＹＺ測色値映像信号である場合、通常は特に色変換の処理を行わない。しかし、表示される映像の品位を低下させるノイズの発生あるいは色差の発生が予測される場合には、ＸＹＺ測色値信号からＲＧＢ表示映像信号を生成する。
【００６２】
以上で説明した、表示形態を予定していたものと異なるものとする処理は、表示される映像全体（動画であればフレーム画像全体）に適用することができる。あるいは、画素ごとに上述したノイズ、色差の発生を予測して、表示形態を画素ごとに切り替えるものであってもよい。
【００６３】
ここで再び図１を参照し、色変換処理装置１００の構成について説明をする。色変換処理装置１００は、先にも説明したようにセットトップボックスとして実施することができるが、コンピュータと、コンピュータ上で実行されるソフトウェアまたはファームウェアとによって実施することも可能である。あるいは、モニタ表示装置の中に内蔵されるユニットとして実施することも可能である。この場合、モニタ表示装置の種類は１種類に限られるので、色変換処理装置１００は上述した色変換の処理を行う際に、接続されているモニタ表示装置の種類の判定は行わない。
【００６４】
色変換処理装置１００は、信号入力部１０２と、信号分離部１０４と、特性情報収集部１０６と、色変換処理方法選択部１１２と、色変換処理実行部１１４と、照明特性入力部１１６と、モニタ情報入力部１１８とを有する。信号入力部１０２は、入力映像信号を映像信号出力装置１５０から受けて信号分離部１０４に送る。信号分離部１０４は、入力映像信号をプロファイルデータと映像信号とに分離し、プロファイルデータを特性情報収集部１０６へ、映像信号を色変換処理実行部１１４へ送出する。このプロファイルデータには、入力映像信号の種類に応じた様々なデータが含まれている。例えば、スペクトル映像信号中には撮影照明スペクトル情報、カメラのプロファイル、Ｄ２Ｒ情報などがプロファイルデータとして含まれている。また、多バンド測色値映像信号中にはカメラのプロファイル、Ｄ２Ｃ情報などがプロファイルデータとして含まれている。
【００６５】
特性情報収集部（色変換用特性情報入力部）１０６は、プロファイル抽出部１２０とアルゴリズムモデル判定部１２２とを有する画像特性情報収集部１０８と、観察環境情報収集部１１０とを有する。プロファイル抽出部１２０は、信号分離部１０４から受けたプロファイルデータ中から撮影照明スペクトル情報、カメラのプロファイル、Ｄ２Ｒ情報などの画像特性情報（色変換用特性情報）を抽出してアルゴリズムモデル判定部１２２に送る。アルゴリズムモデル判定部１２２は、プロファイル抽出部１２０から受けたデータをもとに、入力映像信号に対してどのような色変換の処理が可能か、すなわちどのようなアルゴリズムモデルが適用可能かを判断し、その判断結果とともに上記データを色変換処理方法選択部１１２に出力する。例えば、スペクトル再現を行うアルゴリズムモデルでは、プロファイル中にＤ２Ｒ、あるいはＤ２Ｃ情報が含まれる。従って、プロファイルにこうしたＤ２Ｒ、あるいはＤ２Ｃ情報が含まれている場合には、入力された映像信号に対するアルゴリズムモデルはスペクトル近似再現表示、あるいは疑似スペクトル近似表示のためのアルゴリズムモデルであると判定される。スペクトル再現アルゴリズムモデルに必要な情報は揃っていないが、被写体の測色値を推定する情報が揃っている場合には、測色値映像表示のためのアルゴリズムモデルである、と判定される。そして、分光放射輝度や測色値を算出することのできる情報が含まれていない場合には、ＲＧＢ表示のためのアルゴリズムモデルである、と判定される。
【００６６】
モニタ情報入力部（表示特性情報入力部）１１８には、色変換処理装置１００に接続されるモニタ表示装置１４０で表示可能な映像の種類、ディスプレイプロファイル等のモニタ特性情報（表示特性情報、色変換用特性情報）が入力される。ディスプレイプロファイル中にはモニタ表示装置１４０の原色スペクトル、バイアススペクトルデータ、ＴＲＣ（Ｔｏｎｅ  Ｒｅｐｒｏｄｕｃｔｉｏｎ  Ｃｕｒｖｅ）データ等が含まれる。モニタ特性情報は、メモリカードやＣＤ−ＲＯＭ等の記憶媒体に記録されていて、その情報をモニタ情報入力部１１８で読み取り可能に構成することが可能である。あるいは、接続されるモニタ表示装置のメーカや製品名を特定可能なコード等の情報を、色変換処理装置１００の本体に設けられる操作パネルやリモコン装置等をユーザが操作して入力することが可能である。その場合、色変換処理装置１００は、その内部に保管されているデータベースから、上記のようにして入力されたコード等の情報に対応するモニタ特性情報を取り出すことが可能である。あるいは、入力されたコード等の情報に対応するモニタ特性情報を提供可能なインターネットサイトに色変換処理装置１００がアクセスして必要な情報を入力するように構成されるものであってもよい。また、モニタ表示装置１４０自体がモニタ特性情報を記憶していて、そのモニタ特性情報をモニタ表示装置１４０から色変換処理装置１００に送出するように構成されていてもよい。
【００６７】
照明特性入力部（観察環境照明光特性入力部）１１６には、観察環境照明光の分光スペクトルを特定可能な情報、例えば観察環境に設置される照明装置のメーカや製品名を特定可能なコード等の観察環境照明光情報が入力される。そして色変換処理装置１００内に保管されているデータベースから、入力された観察環境照明光情報に対応するスペクトルを取り出すことが可能である。あるいは、入力された観察環境照明光情報に対応するスペクトルを提供可能なインターネットサイトに色変換処理装置１００がアクセスして必要な情報を入力するように構成することも可能である。観察環境照明光情報の入力方法に関しては、色変換処理装置１００の本体に設けられる操作パネルやリモコン装置等をユーザが操作して入力することが可能である。また、観察環境照明光情報が記録されたメモリカードやＣＤ−ＲＯＭ等の記憶媒体を色変換処理装置１００に装着することにより、記憶媒体内の情報が自動的に読み込まれるように構成されていてもよい。さらに、観察環境照明光の分光スペクトルをユーザが任意に設定可能としてもよい。この場合、現状で設定されている観察環境照明光の分光スペクトルをグラフ表示し、ユーザがマウスやリモコン装置等を操作して、この分光スペクトルのプロファイルを変更可能としてもよい。
【００６８】
以上に加えて、あるいは別法として、観察環境照明光の分光放射輝度を測定可能な分光測光部（観察環境照明光特性計測部）を設けて、分光測光部から出力される測定結果が照明特性入力部１１６に入力される構成とすることも可能である。分光測光部を設けることにより、窓を介して入射する外光の分光特性も、表示する映像の色特性に反映することが可能となる。また、異なる種類の照明光が混在する観察環境において、それらの照明光の点灯・消灯状態や光量比等に応じて、観察環境照明光の影響をより正確に反映した表示をすることが可能となり、さらに電球や蛍光管等から発せられる光の分光放射輝度が時間経過に伴って変化するのにも対応することが可能となる。
【００６９】
分光測光部の構成としては、乳白色のドーム状受光部の中に光ファイバの入射端を固定し、この光ファイバの出射端近くにコリメーションレンズ、スリットを配設して光ファイバから出射する光を細い平行光とし、その細い平行光をグレーティングに入射させて、グレーティングで回折された（分光された）光をラインセンサまたはエリアセンサに導くものとすることが可能である。あるいは、ＲＧＢまたはＹＣＭの光に対して感度を有する受光部を有する測光部を用いて、観察環境照明光の分光放射輝度を簡易的に計測するものであってもよい。
【００７０】
以上のようにして得られたモニタ特性情報、観察環境スペクトル等の情報は、観察環境情報収集部１１０を経て色変換処理方法選択部１１２に送られる。色変換処理方法選択部１１２は、特性情報収集部１０６から入力された情報に基づいて、可能な色変換方法を抽出し、予め定められた優先順位に従って、その中から最適の色変換方法を選択する。色変換処理方法選択部１１２は、上述のように選択した最適の色変換方法、可能な色変換方法を、色変換処理に際して必要となるＤ２Ｒ、Ｄ２Ｃ等の情報とともに色変換処理実行部１１４に出力する。
【００７１】
色変換処理実行部１１４の内部構成を概略的に示すブロック図である図２を参照し、色変換処理実行部１１４の詳細について説明をする。色変換処理実行部１１４は、ノイズ発生波形情報記憶部２０２と、波形比較・色差判定部２０４と、色変換処理部２０６とを有する。色変換処理部２０６は、色変換処理方法選択部１１２から入力した色変換方法に基づいて映像信号に色変換の処理を施し、その処理結果を波形比較・色差判定部２０４に出力する。波形比較・色差判定部２０４にはまた、色差判定に際して必要となる、モニタ表示装置の性能に関連する情報が観察環境情報収集部１１０から入力される。波形比較・色差判定部２０４は、ノイズ発生波形情報記憶部２０２に記憶されるノイズ発生波形情報を参照し、色変換処理部２０６から出力された色変換結果がノイズを生じやすいものであるか否かを判定する。波形比較・色差判定部２０４はまた、色変換処理部２０６から受けた信号が測色値映像信号である場合には、色差も判定する。
【００７２】
ここでノイズ発生波形情報記憶部２０２に記憶されるノイズ発生波形情報について説明する。例えば６原色表示装置に関するノイズ発生波形情報はテーブルとして次のような情報が記録されたものとすることができる。すなわち、標準的なカラーチャートとして一般的に用いられるマクベスチャート（登録商標）を構成する２４色のカラーパッチそれぞれの色を、６原色の表示装置に多原色スペクトル表示すべく映像信号を出力した場合の、各パッチのノイズの程度（ノイズ発生の傾向）を登録する。例えば、各パッチの色を表すスペクトルの分布が微妙に変化したときの、表示映像信号での変化の度合いを、６つの原色それぞれの信号値の変化の二乗和のかたちでテーブルに記録する。
【００７３】
具体的に説明すると、あるカラーパッチの色Ｃi（ｉ＝１，２，…，２４）を構成する６つの原色の強度をＥi1，Ｅi2，…，Ｅi6で表すと、２４色のそれぞれは、
Ｃi＝ｆ［Ｅi1，Ｅi2，Ｅi3，Ｅi4，Ｅi5，Ｅi6］
で表すことができる。
このＣｉをそれぞれＥi1，Ｅi2，Ｅi3，Ｅi4，Ｅi5，Ｅi6で偏微分して、
∂Ｃi／∂Ｅi1， ∂Ｃi／∂Ｅi2，∂Ｃi／∂Ｅi3，
∂Ｃi／∂Ｅi4，∂Ｃi／∂Ｅi5，∂Ｃi／∂Ｅi6
を求め、それらの二乗和を求めてテーブルに記録する。記録されている二乗和が大きい、ということは、そのカラーパッチの色は、スペクトル成分の変化に敏感な色である、ということであり、トーンジャンプが発生しやすい色であると考えることができる。トーンジャンプが発生すればノイズとして目立ちやすい、ということである。
【００７４】
同様に、２４色のカラーパッチの測色値を疑似スペクトル近似で再現しようとした場合、あるいは測色値で再現しようとした場合のそれぞれについてもテーブルに記録しておく。
【００７５】
波形比較・色差判定部２０４は、色変換処理部２０６から出力された色変換結果を、ノイズ発生波形情報記憶部２０２に記憶される上記テーブルと比較し、ノイズ発生の有無を予測する。ここで、６バンドのスペクトル映像の再現を行う際に、スペクトル空間の次元数が８０（３８０ｎｍから７８０ｎｍまでの可視光の帯域を５ｎｍ間隔で分割）である場合を例にとって説明をする。入力映像信号に含まれるＤ２Ｒ情報は、６次元の信号を例えば８０次元に変換する行列とすることができる。入力映像信号の各バンドが８ビット階調を有するものである場合、信号は０から２５５まで（２の８乗通り）の値をとりうる。６バンドの入力映像信号のとりうる値の組み合わせは、２５６の６乗＝２48通りとなる。
【００７６】
これらのすべてにＤ２Ｒを乗じた結果得られる反射率に観察照明スペクトルを乗じて得られたスペクトル波形について、上記２４色のカラーパッチのスペクトルと比較を行う。このときに行う比較方法としては、ＮＲＭＳＥ（Ｎｏｒｍａｌｉｚｅｄ  Ｒｏｏｔ  Ｍｅａｎ  Ｓｑｕａｒｅ  Ｅｒｒｏｒ）を利用可能である。ＮＲＭＳＥで評価して、最も近い波形と判定されたカラーパッチのノイズの程度を合計して、これをノイズ発生量の予測値とすることができる。
【００７７】
上記の手順を、スペクトル近似再現表示の場合、多バンド測色値に基づく疑似スペクトル近似表示の場合、ＸＹＺ測色値に基づく疑似スペクトル近似表示の場合、そしてＸＹＺ測色値に基づく測色値表示をする場合、それぞれに対してノイズの発生量を求める。また、測色値映像信号に対しては色差を求める。そして、求められたノイズ、色差の大きさに基づいて、ノイズ、色差の大きさが許容範囲に収まる表示方法中、優先順位の最も高い表示方法（色再現性能の最も高い表示方法）を選択する。許容範囲については、ユーザが適宜設定可能に構成することが可能である。このとき、デフォルト値が予め設定されていて、ユーザが許容範囲変更の操作をしない場合にはデフォルトの値が適用されるものであってもよい。なお、どの表示方法においても多かれ少なかれノイズの発生が予測され、表示方式の違いによるノイズレベルの差があまり大きくない場合には優先順位のより高い（色再現性能のより高い）表示方法を選択する、という処理を波形比較・色差判定部２０４が行うようにしてもよい。
【００７８】
波形比較・色差判定部２０４は以上に説明したように、色変換処理部２０６から受けた処理済み映像信号に対してノイズ、および必要に応じて色差の判定をし、その判定結果を色変換処理部２０６に送出する。色変換処理部２０６は、波形比較・色差判定部２０４から送出された上記判定結果に基づき、ノイズおよび色差の発生が予測されない場合には処理済みの表示映像信号をそのままモニタ表示装置１４０に出力する。一方、ノイズ、色差発生が予測される場合には、色変換処理方法を変更して入力映像信号を処理し、処理済み表示映像信号をモニタ表示装置１４０に出力する。
【００７９】
図３から図１３は、色変換処理装置１００で実行される上述した色変換の処理手順の一例を示すフローチャートである。以下、これらの図３から図１３を参照して本発明の実施の形態に係る色変換処理装置１００による色変換の処理手順について説明する。なお、図３から図１３に示すフローチャートにおいて、図の番号が一桁の場合（図３から図９）には、Ｓに続くステップ番号の、１００の位の数字を図の番号と一致させてある。また、図の番号が二桁の場合（図１０から図１３）には、Ｓに続くステップ番号の、１０００の位および１００の位の数字で表される二桁の数字を図の番号と一致させてある。例えば、Ｓ３０１の処理は図３に示され、Ｓ１２０１の処理は図１２に示される。
【００８０】
−  メインフロー  −
色変換処理のメインフローを示す図３を参照して説明する。Ｓ３０１において色変換処理装置１００は、入力映像信号の種類を判定する処理を行う。この判定処理は、上述したように、入力映像信号に含まれる情報の種類（Ｄ２Ｒ情報、Ｄ２Ｃ情報、プロファイルデータ等）をもとに行われる。
【００８１】
Ｓ３０２において、色変換処理装置１００は入力映像信号がスペクトル映像信号であるか否かを判定し、その判定が肯定された場合にはＳ３０５の処理に分岐して図４から図６に示されるスペクトル入力映像信号処理を実行してＳ３０１に戻る。Ｓ３０２における判定は、入力映像信号が多バンドの映像信号で、Ｄ２Ｒ情報等を含んでいる場合に肯定される。Ｓ３０２での判定が否定された場合、色変換処理装置１００はＳ３０３の処理に分岐して以下に説明する処理を行う。
【００８２】
Ｓ３０３において、色変換処理装置１００は入力映像信号が多バンド測色値映像信号であるか否かを判定し、その判定が肯定された場合にはＳ３０６の処理に分岐して図７から図９に示される多バンド測色値入力映像信号処理を実行してＳ３０１に戻る。Ｓ３０３における判定は、入力映像信号が多バンドの映像信号で、Ｄ２Ｃ情報等を含んでいる場合に肯定される。Ｓ３０３での判定が否定された場合、色変換処理装置１００はＳ３０４の処理に分岐して以下に説明する処理を行う。
【００８３】
Ｓ３０４において、色変換処理装置１００は入力映像信号が測色値映像信号であるか否かを判定し、その判定が肯定された場合にはＳ３０７の処理に分岐して図１０から図１２に示される測色値入力映像信号処理を実行してＳ３０１に戻る。Ｓ３０４における判定は、入力映像信号が３バンドの映像信号で、被写体の測色値を推定する情報等を含んでいる場合に肯定される。Ｓ３０４での判定が否定された場合、色変換処理装置１００はＳ３０８の処理に分岐して図１３に示されるＲＧＢ入力映像信号処理を実行してＳ３０１に戻る。
【００８４】
−  スペクトル入力映像信号処理手順  −
図４から図６に示されるフローチャートを参照し、色変換処理装置１００によって実行されるスペクトル入力映像信号処理手順について説明する。
【００８５】
Ｓ４０１において色変換処理装置１００は、接続されているモニタ表示装置１４０が多原色モニタであるか否かを判定し、肯定される場合にはＳ４０２に進む一方、否定される場合にはＳ５０１に進む。Ｓ４０１での判定は、モニタ特性情報に基づいて行うことができる。
【００８６】
色変換処理装置１００はＳ４０２において、入力映像信号をもとにスペクトル近似再現表示を行うための色変換処理を行い、得られた表示映像信号がノイズを発生しやすいものであるかどうかの予測処理をＳ４０３で行う。Ｓ４０４で色変換処理装置１００は、上述したＳ４０３での予測処理結果に基づき、表示映像信号がノイズ発生の可能性を有しているか否かを判定する。
【００８７】
色変換処理装置１００は、Ｓ４０４での判定が否定されるとＳ４０９の処理に分岐する一方、肯定された場合にはＳ４０５に進んで測色値変換処理を行う。すなわち、入力映像信号の種類と接続されるモニタ表示装置との組み合わせから、スペクトル近似再現表示をすることが可能ではあるが、スペクトル近似再現表示を行うとノイズ発生の可能性があると判定される場合、色変換処理装置１００は一つ下に位置する優先順位の表示形態である測色値表示を試みる。
【００８８】
色変換処理装置１００は、得られた測色値表示映像信号がノイズを発生しやすいものであるかどうかの予測処理をＳ４０６で行い、続くＳ４０７で表示映像信号がノイズ発生の可能性を有しているか否かを判定する。色変換処理装置１００は、Ｓ４０７での判定が否定されるとＳ４１１の処理に分岐する一方、肯定された場合にはＳ４０８に進んでＲＧＢ値変換処理を行う。すなわち、表示形態をスペクトル近似再現表示から測色値表示に切り替えてもなおノイズ発生の可能性がある場合には、色変換処理装置１００はさらに一つ下に位置する優先順位の表示形態であるＲＧＢ表示に切り替える。
【００８９】
測色値表示時にノイズ発生の可能性はないとＳ４０７で判定された場合の分岐先であるＳ４１１において、色変換処理装置１００は色差が所定量を上回っているか否かを判定する。この色差については先に説明したとおりであるのでここでは多くを説明しないが、Ｓ４０５での処理で得られた測色値の色度値と、接続されているモニタ表示装置１４０で表示可能な色域および表示階調とに基づいて色差を求め、その色差が所定量を上回っているか否かを判定する。
【００９０】
色差が所定量を上回っていたためにＳ４１１での判定が肯定された場合、色変換処理装置１００の処理はＳ４０８に進んでＲＧＢ値変換処理を行う。一方、Ｓ４１１での判定が否定された（色差は所定量を超さない）場合、Ｓ４０９の処理に分岐する。
【００９１】
Ｓ４０９において色変換処理装置１００は、Ｓ４０２、Ｓ４０５、あるいはＳ４０８の処理で得られた表示映像信号をモニタ表示装置１４０に出力する処理を行い、続くＳ４１０では色変換処理装置１００に映像信号が継続して入力されているか否かの判定を行う。Ｓ４１０での判定が肯定された（映像信号は継続して入力中と判定された）場合、色変換処理装置１００はＳ４０２に戻って入力映像信号の処理を継続する一方、否定された場合には図３に示されるメインフローの処理に戻る。
【００９２】
Ｓ４０１での判定で、モニタ表示装置は多原色モニタではないと判定された場合の分岐先であるＳ５０１において、色変換処理装置１００は接続されているモニタ表示装置１４０は測色値モニタであるか否かの判定を行う。色変換処理装置１００は、この判定が否定された場合にはＳ６０１の処理に分岐する一方、肯定された場合にはＳ５０２に進んで測色値変換処理を行う。すなわち、入力映像信号の種類と接続されるモニタ表示装置との組み合わせに基づいて、測色値表示を試みる。
【００９３】
色変換処理装置１００は、Ｓ５０２で得られた測色値表示映像信号がノイズを発生しやすいものであるかどうかの予測処理をＳ５０３で行い、続くＳ５０４で表示映像信号がノイズ発生の可能性を有しているか否かを判定する。色変換処理装置１００は、Ｓ５０４での判定が否定されるとＳ５０８の処理に分岐する一方、肯定された場合にはＳ５０５に進んでＲＧＢ値変換処理を行う。すなわち、測色値表示ではノイズ発生の可能性がある場合には、色変換処理装置１００は一つ下に位置する優先順位の表示形態であるＲＧＢ表示に切り替える。
【００９４】
測色値表示時にノイズ発生の可能性はないとＳ５０４で判定された場合の分岐先であるＳ５０８において、色変換処理装置１００は色差が所定量を上回っているか否かを判定する。すなわち、Ｓ５０２での処理で得られた測色値の色度値と、接続されているモニタ表示装置１４０で表示可能な色域および表示階調とに基づいて色差を求め、その色差が所定量を上回っているか否かを判定する。
【００９５】
色差が所定量を上回っていたためにＳ５０８での判定が肯定された場合、色変換処理装置１００はＳ５０５の処理に分岐してＲＧＢ値変換処理を行う。一方、Ｓ５０８での判定が否定された（色差は所定量を超さない）場合、Ｓ５０６の処理に分岐する。
【００９６】
Ｓ５０６において色変換処理装置１００は、Ｓ５０２、あるいはＳ５０５の処理で得られた表示映像信号をモニタ表示装置１４０に出力する処理を行い、続くＳ５０７で色変換処理装置１００に映像信号が継続して入力されているか否かの判定を行う。Ｓ５０７での判定が肯定された（映像信号は継続して入力中と判定された）場合、色変換処理装置１００はＳ５０２に戻って入力映像信号の処理を継続する一方、否定された場合には図３に示されるメインフローの処理に戻る。
【００９７】
Ｓ５０１での判定で、色変換処理装置１００に接続されるモニタ表示装置は測色値モニタではないと判定された場合の分岐先であるＳ６０１において、色変換処理装置１００はＲＧＢ値変換処理を行う。Ｓ６０２において色変換処理装置１００は、Ｓ６０１の処理で得られたＲＧＢの表示映像信号をモニタ表示装置１４０に出力する処理を行い、続くＳ６０３では色変換処理装置１００に映像信号が継続して入力されているか否かの判定を行う。Ｓ６０３での判定が肯定された（映像信号は継続して入力中と判定された）場合、色変換処理装置１００はＳ６０１に戻って入力映像信号の処理を継続する一方、否定された場合には図３に示されるメインフローの処理に戻る。
【００９８】
−  多バンド測色値入力映像信号処理手順  −
図７から図９に示されるフローチャートを参照し、色変換処理装置１００によって実行される多バンド測色値入力映像信号処理手順について説明する。
【００９９】
Ｓ７０１において色変換処理装置１００は、接続されているモニタ表示装置１４０が多原色モニタであるか否かを判定し、肯定される場合にはＳ７０２に進む一方、否定される場合にはＳ８０１に進む。Ｓ７０１での判定は、Ｓ４０１での判定と同様に、モニタ特性情報に基づいて行うことができる。
【０１００】
色変換処理装置１００はＳ７０２において、ユーザが疑似スペクトル近似表示を希望しているか否かを判定し、この判定が肯定される場合にはＳ７０３に進む一方、否定される場合にはＳ７０６の処理に分岐する。なお、Ｓ７０２での判定に関し、疑似スペクトル近似を希望する場合にはユーザがリモコン等を操作して予めその旨設定しておくことにより、フラグを立てる（セットする）ことが可能である。Ｓ７０２においては、そのフラグがセットされているか否かに基づいてユーザが疑似スペクトル近似表示を希望しているか否かを判定することが可能である。
【０１０１】
Ｓ７０３において色変換処理装置１００は、入力映像信号をもとに疑似スペクトル近似表示を行うための色変換処理を行い、得られた表示映像信号がノイズを発生しやすいものであるかどうかの予測処理をＳ７０４で行う。Ｓ７０５において色変換処理装置１００は、上述したＳ７０４での予測処理結果に基づき、表示映像信号がノイズ発生の可能性を有しているか否かを判定する。
【０１０２】
色変換処理装置１００は、Ｓ７０５での判定が否定されるとＳ７１０の処理に分岐する一方、肯定された場合にはＳ７０６に進む。Ｓ７０２での判定が否定された（ユーザが疑似スペクトル近似表示を希望していない）場合、あるいはＳ７０５での判定が肯定された（疑似スペクトル近似表示をするとノイズ発生の可能性がある）場合の分岐先であるＳ７０６において、色変換処理装置１００は測色値変換処理を行う。すなわち、入力映像信号の種類と接続されるモニタ表示装置との組み合わせから、疑似スペクトル近似表示をすることが可能ではあるが、ユーザが疑似スペクトル近似表示を希望しない場合、あるいは疑似スペクトル近似表示を行うとノイズ発生の可能性があると判定される場合に、色変換処理装置１００は一つ下に位置する優先順位の表示形態である測色値表示を試みる。
【０１０３】
色変換処理装置１００は、Ｓ７０６の処理によって得られた測色値表示映像信号がノイズを発生しやすいものであるかどうかの予測処理をＳ７０７で行い、続くＳ７０８で表示映像信号がノイズ発生の可能性を有しているか否かを判定する。色変換処理装置１００は、Ｓ７０８での判定が否定されるとＳ７１２の処理に分岐する一方、肯定された場合にはＳ７０９に進んでＲＧＢ値変換処理を行う。すなわち、表示形態を疑似スペクトル近似表示から測色値表示に切り替えてもなおノイズ発生の可能性がある場合には、色変換処理装置１００はさらに一つ下に位置する優先順位の表示形態であるＲＧＢ表示に切り替える。
【０１０４】
測色値表示時にノイズ発生の可能性はないとＳ７０８で判定された場合の分岐先であるＳ７１２において、色変換処理装置１００は色差が所定量を上回っているか否かを判定する。すなわち、Ｓ７０６での処理で得られた測色値の色度値と、接続されているモニタ表示装置１４０で表示可能な色域および表示階調とに基づいて色差を求め、その色差が所定量を上回っているか否かを判定する。
【０１０５】
色差が所定量を上回っていたためにＳ７１２での判定が肯定された場合、色変換処理装置１００はＳ７０９に進んでＲＧＢ値変換処理を行う。一方、Ｓ７１２での判定が否定された（色差は所定量を超さない）場合、Ｓ７１０の処理に分岐する。
【０１０６】
Ｓ７１０において色変換処理装置１００は、Ｓ７０３、Ｓ７０６、あるいはＳ７０９の処理で得られた表示映像信号をモニタ表示装置１４０に出力する処理を行い、続くＳ７１１では色変換処理装置１００に映像信号が継続して入力されているか否かの判定を行う。Ｓ７１１での判定が肯定された（映像信号は継続して入力中と判定された）場合、色変換処理装置１００はＳ７０２に戻って入力映像信号の処理を継続する一方、否定された場合には図３に示されるメインフローの処理に戻る。
【０１０７】
Ｓ７０１での判定で、モニタ表示装置は多原色モニタではないと判定された場合の分岐先であるＳ８０１において、色変換処理装置１００は接続されているモニタ表示装置１４０は測色値モニタであるか否かの判定を行う。色変換処理装置１００は、この判定が否定された場合にはＳ９０１の処理に分岐する一方、肯定された場合にはＳ８０２に進んで測色値６−３変換処理を行う。すなわち、多バンド測色値入力映像信号に付加されているＤ２Ｃマトリクス（６−３変換マトリクス）を乗じてＸＹＺ測色値を求める処理をする。
【０１０８】
色変換処理装置１００は、Ｓ８０２の処理で得られたＸＹＺ測色値表示映像信号がノイズを発生しやすいものであるかどうかの予測処理をＳ８０３で行い、続くＳ８０４で表示映像信号がノイズ発生の可能性を有しているか否かを判定する。色変換処理装置１００は、Ｓ８０４での判定が否定されるとＳ８０８の処理に分岐する一方、肯定された場合にはＳ８０５に進んでＲＧＢ値変換処理を行う。すなわち、測色値表示ではノイズ発生の可能性がある場合には、色変換処理装置１００は一つ下に位置する優先順位の表示形態であるＲＧＢ表示に切り替える。
【０１０９】
測色値表示時にノイズ発生の可能性はないとＳ８０４で判定された場合の分岐先であるＳ８０８において、色変換処理装置１００は色差が所定量を上回っているか否かを判定する。すなわち、Ｓ８０２での処理で得られたＸＹＺ測色値の色度値と、接続されているモニタ表示装置１４０で表示可能な色域および表示階調とに基づいて色差を求め、その色差が所定量を上回っているか否かを判定する。
【０１１０】
色差が所定量を上回っていたためにＳ８０８での判定が肯定された場合、色変換処理装置１００はＳ８０５の処理に分岐してＲＧＢ値変換処理を行う。一方、Ｓ８０８での判定が否定された（色差は所定量を超さない）場合、Ｓ８０６の処理に分岐する。
【０１１１】
Ｓ８０６において色変換処理装置１００は、Ｓ８０２、あるいはＳ８０５の処理で得られた表示映像信号をモニタ表示装置１４０に出力する処理を行い、続くＳ８０７で色変換処理装置１００に映像信号が継続して入力されているか否かの判定を行う。Ｓ８０７での判定が肯定された（映像信号は継続して入力中と判定された）場合、色変換処理装置１００はＳ８０２に戻って入力映像信号の処理を継続する一方、否定された場合には図３に示されるメインフローの処理に戻る。
【０１１２】
Ｓ８０１での判定で、色変換処理装置１００に接続されるモニタ表示装置は測色値モニタではないと判定された場合の分岐先であるＳ９０１において、色変換処理装置１００はＲＧＢ値変換処理を行う。Ｓ９０２において色変換処理装置１００は、Ｓ９０１の処理で得られたＲＧＢの表示映像信号をモニタ表示装置１４０に出力する処理を行い、続くＳ９０３では色変換処理装置１００に映像信号が継続して入力されているか否かの判定を行う。Ｓ９０３での判定が肯定された（映像信号は継続して入力中と判定された）場合、色変換処理装置１００はＳ９０１に戻って入力映像信号の処理を継続する一方、否定された場合には図３に示されるメインフローの処理に戻る。
【０１１３】
−  測色値入力映像信号処理手順  −
図１０から図１２に示されるフローチャートを参照し、色変換処理装置１００によって実行される測色値入力映像信号処理手順について説明する。
【０１１４】
Ｓ１００１において色変換処理装置１００は、接続されているモニタ表示装置１４０が多原色モニタであるか否かを判定し、肯定される場合にはＳ１００２に進む一方、否定される場合にはＳ１１０１に進む。Ｓ１００１での判定は、Ｓ４０１での判定と同様に、モニタ特性情報に基づいて行うことができる。
【０１１５】
色変換処理装置１００はＳ１００２において、ユーザが疑似スペクトル近似表示を希望しているか否かを判定し、この判定が肯定される場合にはＳ１００３に進む一方、否定される場合にはＳ１００６の処理に分岐する。なお、Ｓ１００２での判定に関し、疑似スペクトル近似を希望する場合にはユーザがリモコン等を操作して予めその旨設定しておくことにより、フラグを立てる（セットする）ことが可能である。Ｓ１００２においては、そのフラグがセットされているか否かに基づいてユーザが疑似スペクトル近似表示を希望しているか否かを判定することが可能である。
【０１１６】
Ｓ１００３において色変換処理装置１００は、入力映像信号をもとに疑似スペクトル近似表示を行うための色変換処理を行い、得られた表示映像信号がノイズを発生しやすいものであるかどうかの予測処理をＳ１００４で行う。Ｓ１００５において色変換処理装置１００は、上述したＳ１００４での予測処理結果に基づき、表示映像信号がノイズ発生の可能性を有しているか否かを判定する。
【０１１７】
色変換処理装置１００は、Ｓ１００５での判定が否定されるとＳ１０１０の処理に分岐する一方、肯定された場合にはＳ１００６に進む。Ｓ１００２での判定が否定された（ユーザが疑似スペクトル近似表示を希望していない）場合、あるいはＳ１００５での判定が肯定された（疑似スペクトル近似表示をするとノイズ発生の可能性がある）場合の分岐先であるＳ１００６において、色変換処理装置１００はＸＹＺ測色値映像信号に対して３−６変換の処理を行う。すなわち、入力映像信号の種類と接続されるモニタ表示装置との組み合わせから、疑似スペクトル近似表示をすることが可能ではあるが、ユーザが疑似スペクトル近似表示を希望しない場合、あるいは疑似スペクトル近似表示を行うとノイズ発生の可能性があると判定される場合、色変換処理装置１００は一つ下に位置する優先順位の表示形態である測色値表示を試みる。ＸＹＺ測色値映像信号に対する３−６変換処理について説明すると、図１０から図１２に示される処理は、入力映像信号がＸＹＺの測色値映像信号である場合の処理であり、Ｓ１００６における処理は映像表示装置が多原色モニタである場合の処理である。そのため、Ｓ１００６においては、先に（３−ａ−５）で説明した内容の処理が行われる。
【０１１８】
色変換処理装置１００は、Ｓ１００６の処理によって得られた測色値表示映像信号がノイズを発生しやすいものであるかどうかの予測処理をＳ１００７で行い、続くＳ１００８で表示映像信号がノイズ発生の可能性を有しているか否かを判定する。色変換処理装置１００は、Ｓ１００８での判定が否定されるとＳ１０１２の処理に分岐する一方、肯定された場合にはＳ１００９に進んでＲＧＢ値変換処理を行う。すなわち、表示形態を疑似スペクトル近似表示から測色値表示に切り替えてもなおノイズ発生の可能性がある場合には、色変換処理装置１００はさらに一つ下に位置する優先順位の表示形態であるＲＧＢ表示に切り替える。
【０１１９】
測色値表示時にノイズ発生の可能性はないとＳ１００８で判定された場合の分岐先であるＳ１０１２において、色変換処理装置１００は色差が所定量を上回っているか否かを判定する。すなわち、Ｓ１００６での処理で得られた６原色測色値の色度値と、接続されているモニタ表示装置１４０で表示可能な色域および表示階調とに基づいて色差を求め、その色差が所定量を上回っているか否かを判定する。
【０１２０】
色差が所定量を上回っていたためにＳ１０１２での判定が肯定された場合、色変換処理装置１００はＳ１００９に進んでＲＧＢ値変換処理を行う。一方、Ｓ１０１２での判定が否定された（色差は所定量を超さない）場合、Ｓ１０１０の処理に分岐する。
【０１２１】
Ｓ１０１０において色変換処理装置１００は、Ｓ１００３、Ｓ１００６、あるいはＳ１００９の処理で得られた表示映像信号をモニタ表示装置１４０に出力する処理を行い、続くＳ１０１１では色変換処理装置１００に映像信号が継続して入力されているか否かの判定を行う。Ｓ１０１１での判定が肯定された（映像信号は継続して入力中と判定された）場合、色変換処理装置１００はＳ１００２に戻って入力映像信号の処理を継続する一方、否定された場合には図３に示されるメインフローの処理に戻る。
【０１２２】
Ｓ１００１での判定で、モニタ表示装置は多原色モニタではないと判定された場合の分岐先であるＳ１１０１において、色変換処理装置１００は接続されているモニタ表示装置１４０は測色値モニタであるか否かの判定を行う。色変換処理装置１００は、この判定が否定された場合にはＳ１２０１の処理に分岐する一方、肯定された場合にはＳ１１０２に進む。Ｓ１１０２において色変換処理装置１００は、測色値表示映像信号がノイズを発生しやすいものであるかどうかの予測処理を行う。なお、Ｓ１１０１の処理とＳ１１０２の処理との間で色変換処理が行われていないが、これはモニタ表示装置１４０が測色値モニタであるため、モニタ表示装置１４０自体がモニタ表示特性を補正する処理を行うからである。
【０１２３】
色変換処理装置１００は、Ｓ１１０２で行われた測色値表示時発生ノイズ予測の結果に基づき、Ｓ１１０３において表示映像信号がノイズ発生の可能性を有しているか否かを判定する。色変換処理装置１００は、Ｓ１１０３での判定が否定されるとＳ１１０７の処理に分岐する一方、肯定された場合にはＳ１１０４に進んでＲＧＢ値変換処理を行う。すなわち、測色値表示ではノイズ発生の可能性がある場合には、色変換処理装置１００は一つ下に位置する優先順位の表示形態であるＲＧＢ表示に切り替える。
【０１２４】
測色値表示時にノイズ発生の可能性はないとＳ１１０３で判定された場合の分岐先であるＳ１１０７において、色変換処理装置１００は色差が所定量を上回っているか否かを判定する。すなわち、入力されたＸＹＺ測色値に基づく色度値と、接続されているモニタ表示装置１４０で表示可能な色域および表示階調とに基づいて色差を求め、その色差が所定量を上回っているか否かを判定する。
【０１２５】
色差が所定量を上回っていたためにＳ１１０７での判定が肯定された場合、色変換処理装置１００はＳ１１０４の処理に分岐してＲＧＢ値変換処理を行う。一方、Ｓ１１０７での判定が否定された（色差は所定量を超さない）場合、Ｓ１１０５の処理に分岐する。
【０１２６】
Ｓ１１０５において色変換処理装置１００は、ＸＹＺ測色値入力映像信号、あるいはＳ１１０４の処理で得られた表示映像信号をモニタ表示装置１４０に出力する処理を行い、続くＳ１１０６で色変換処理装置１００に映像信号が継続して入力されているか否かの判定を行う。Ｓ１１０６での判定が肯定された（映像信号は継続して入力中と判定された）場合、色変換処理装置１００はＳ１１０２に戻って入力映像信号の処理を継続する一方、否定された場合には図３に示されるメインフローの処理に戻る。
【０１２７】
Ｓ１１０１での判定で、色変換処理装置１００に接続されるモニタ表示装置は測色値モニタではないと判定された場合の分岐先であるＳ１２０１において、色変換処理装置１００はＲＧＢ値変換処理を行う。Ｓ１２０２において色変換処理装置１００は、Ｓ１２０１の処理で得られたＲＧＢの表示映像信号をモニタ表示装置１４０に出力する処理を行い、続くＳ１２０３では色変換処理装置１００に映像信号が継続して入力されているか否かの判定を行う。Ｓ１２０３での判定が肯定された（映像信号は継続して入力中と判定された）場合、色変換処理装置１００はＳ１２０１に戻って入力映像信号の処理を継続する一方、否定された場合には図３に示されるメインフローの処理に戻る。
【０１２８】
−  ＲＧＢ入力映像信号処理手順  −
図１３に示されるフローチャートを参照し、色変換処理装置１００によって実行されるＲＧＢ入力映像信号処理手順について説明する。
【０１２９】
Ｓ１３０１において色変換処理装置１００は、接続されているモニタ表示装置１４０が多原色モニタであるか否かを判定し、肯定される場合にはＳ１３０２に進む一方、否定される場合にはＳ１３０５に進む。Ｓ１３０１での判定は、Ｓ４０１での判定と同様に、モニタ特性情報に基づいて行うことができる。
【０１３０】
Ｓ１３０２において色変換処理装置１００は、ＲＧＢ入力映像信号を、接続されているモニタ表示装置１４０の原色に対応するＲＧＢＯＣＰ信号に変換する処理を行う。この処理は、先に（３−ａ−７）で説明した方法を適用することができる。
【０１３１】
Ｓ１３０３において色変換処理装置１００は、Ｓ１３０２の処理で得られた表示映像信号をモニタ表示装置１４０に出力する処理を行い、続くＳ１３０４では色変換処理装置１００に映像信号が継続して入力されているか否かの判定を行う。Ｓ１３０４での判定が肯定された（映像信号は継続して入力中と判定された）場合、色変換処理装置１００はＳ１３０２に戻って入力映像信号の処理を継続する一方、否定された場合には図３に示されるメインフローの処理に戻る。
【０１３２】
Ｓ１３０１での判定で、モニタ表示装置は多原色モニタではないと判定された場合の分岐先であるＳ１３０５において、色変換処理装置１００は接続されているモニタ表示装置１４０は測色値モニタであるか否かの判定を行う。色変換処理装置１００は、この判定が否定された場合にはＳ１３０９の処理に分岐する一方、肯定された場合にはＳ１３０６に進む。Ｓ１３０６において色変換処理装置１００は、ＲＧＢ映像信号をＸＹＺ信号に変換する処理を行う。この処理方法は、先に（３−ｂ−４）で説明したとおりである。また、（３−ｂ−４）で説明したように、Ｓ１３０６の処理で生成されるＸＹＺ信号は測色値ではない。
【０１３３】
Ｓ１３０７において色変換処理装置１００は、Ｓ１３０６の処理で得られた表示映像信号（ＸＹＺ信号）をモニタ表示装置１４０に出力する処理を行い、続くＳ１３０８で色変換処理装置１００に映像信号が継続して入力されているか否かの判定を行う。Ｓ１３０８での判定が肯定された（映像信号は継続して入力中と判定された）場合、色変換処理装置１００はＳ１３０６に戻って入力映像信号の処理を継続する一方、否定された場合には図３に示されるメインフローの処理に戻る。
【０１３４】
Ｓ１３０５での判定で、色変換処理装置１００に接続されるモニタ表示装置は測色値モニタではないと判定された場合の分岐先であるＳ１３０９において、色変換処理装置１００はＲＧＢの表示映像信号をモニタ表示装置１４０に出力する処理を行い、続くＳ１３１０では色変換処理装置１００に映像信号が継続して入力されているか否かの判定を行う。Ｓ１３１０での判定が肯定された（映像信号は継続して入力中と判定された）場合、色変換処理装置１００はＳ１３０９に戻って入力映像信号の処理を継続する一方、否定された場合には図３に示されるメインフローの処理に戻る。
【０１３５】
以上、図３から図１３に示されるフローチャートを参照して説明したように、色変換処理装置１００は入力される映像信号の種類と接続されるモニタ表示装置１４０の表示性能に基づいて自動的に表示方式を選択する。このときに、スペクトル近似表示、多バンド測色値に基づく疑似スペクトル近似表示、ＸＹＺ測色値に基づく疑似スペクトル近似表示、多バンド測色値基づく測色値表示、ＸＹＺ測色値に基づく測色値表示、ＲＧＢ表示の順で優先順位が定められていて、これらの表示方式中で選択可能なもののうち、優先順位の高い（より高品位の）表示方式が優先的に選択されて表示が行われる。そして、優先順位の高い表示方式で表示をしようとしたときに、ノイズの発生が予想される場合には一つ下の優先順位の表示方式での表示を試みる。それでもノイズの発生が予想される場合にはさらに一つ下の優先順位の表示方式での表示を試みる。依然としてノイズの発生が予測される場合、最終的にはＲＧＢ表示方式での表示を行う。
【０１３６】
このように、本発明の実施の形態に係る色変換処理装置１００は、入力される映像信号の種類、接続されるモニタ表示装置１４０の表示性能、そしてノイズ発生の有無を判定して、可能な表示方式中、より望ましい表示方式を自動的に選択して表示を行う。これにより、ユーザは面倒な表示方式の切り替え操作をすることなく、手軽に最適の表示方式での映像を観察することが可能となる。
【０１３７】
図１４は、色変換処理装置１００に接続されるモニタ表示装置１４０にスーパーインポーズ表示されるアイコンの一例を示し、図１４（ａ）はモニタ表示装置１４０がＲＧＢモニタである場合の、図１４（ｂ）はモニタ表示装置１４０が多原色モニタである場合の例をそれぞれ示す。これらのアイコンを表示するための映像信号は色変換処理装置１００内で生成されて、入力映像信号を処理して生成された表示映像信号に重畳されてモニタ表示装置１４０に出力される。これらのアイコンを表示するための映像信号は色変換処理実行部１１４で生成することが可能であり、モニタ表示装置１４０の表示面内の、例えば右上の領域に表示することができる。
【０１３８】
色変換処理装置１００にＲＧＢモニタが接続されている場合、図３から図１３に示すフローチャートを参照しての説明からも明らかなように、入力映像信号の種類によらず、モニタ表示装置１４０にはＲＧＢ表示のみが行われる。このとき、モニタ表示装置１４０の表示画面には、図１４（ａ）に例示されるように入力信号アイコン１４２と色域アイコン１４４とが表示される。色域アイコン１４４は、可視範囲色域アイコン１４４Ａ、入力映像信号色域アイコン１４４Ｂ、モニタ色域アイコン１４４Ｃ、入力信号色度点インジケータアイコン１４４Ｄなどを含む。
【０１３９】
入力信号アイコン１４２は、色変換処理装置１００に入力される映像信号の種類を表示するためのものであり、ユーザがこのアイコンを見ることにより、現状の入力映像信号はどのようなものかを直観的に判断することができる。図１４（ａ）に例示される入力信号アイコン１４２は、入力映像信号がスペクトル映像信号（ナチュラルビジョン映像信号）であることを示している。
【０１４０】
可視範囲色域アイコン１４４Ａは、人間（ＣＩＥの標準観測者）の可視域に対応する色域を表すアイコンである。入力映像信号色域アイコン１４４Ｂは、入力されている映像信号に基づく映像の色域がどの程度の広さを有するのかを示すアイコンである。この入力映像信号色域アイコン１４４Ｂは、一定の時間区間内に入力された映像信号で定義される色度点を逐次色度図上にプロットしたときの、最も外側（広い範囲）に位置する色度点を結んでできる多角形として表示することができる。すなわち、この多角形は、一定の時間区間内に入力された入力映像信号で定義される色度点群の集合を内包する色域を表すものである。そして適宜の時間間隔で入力映像信号色域アイコン１４４Ｂの表示をリフレッシュ（表示更新）することにより、直近の入力映像信号が有する色域の、いわばピークホールド表示が行われる。例えば、熱帯地方に棲息する鳥や花などの映像のように、高彩度の様々な波長の色を含む映像信号が入力された場合、この入力映像信号色域アイコン１４４はより面積の大きい多角形として表示される。一方、雪景色や暗闇等、色域のあまり広くない映像の信号が入力され続けると入力映像信号色域アイコン１４４Ｂは小さな面積の多角形、あるいは点として表示されるようになる。
【０１４１】
モニタ色域アイコン１４４Ｃは、色変換処理装置１００に接続されるモニタ表示装置１４０で表示可能な色の色域を表すアイコンであり、可視範囲色域アイコン１４４Ａと同様に、時間経過に伴って、あるいは入力映像信号の変化によって表示状態が変化することがなく、固定的に表示されるアイコンである。入力信号色度点インジケータアイコン１４４Ｄは、入力映像信号で表される色度点を表示するためのものである。この入力信号色度点インジケータアイコンは、入力映像信号色域アイコン１４４Ｂの表示更新時間間隔よりも短い時間間隔で表示が更新される。この入力信号色度点インジケータアイコン１４４Ｄがモニタ色域アイコン１４４Ｃの内側に表示されていれば、ユーザは入力映像信号で定義される色域がモニタ表示装置で表示される色の色域内に収まっていることが確認できる。すなわち、モニタ表示装置１４０の表示能力の範囲内に収まる映像信号が入力されて表示が行われていることが分かる。入力映像信号色域アイコン１４４Ｂがモニタ色域アイコン１４４Ｃの内側に表示されている場合も同様である。
【０１４２】
ユーザは、モニタ表示装置１４０に表示される映像の色に違和感を覚えたときに色域アイコン１４４を見ることにより、その原因が、モニタ表示装置１４０がうまく調整されていないことによるものなのか、表示能力を超えた色域の映像信号が入力されたことによるものなのかを特定することが可能となる。
【０１４３】
色変換処理装置１００に接続されるモニタ表示装置１４０が多原色モニタである場合、図１４（ｂ）に例示されるように表示モードアイコン１４６と色域アイコン１４４とが表示される。図１４（ｂ）に示す例において、色域アイコン１４４は、可視範囲色域アイコン１４４Ａ、入力映像信号色域アイコン１４４Ｂ、入力信号色度点インジケータアイコン１４４Ｄなどを含んでいる。
【０１４４】
表示モードアイコン１４６は、モニタ表示装置１４０にどのような色変換処理が行われて映像が表示されているのかを示すためのものである。図１４（ｂ）に示す例では、「スペクトル」の文字が反転表示されていて、スペクトル再現表示のための色変換処理が行われて表示映像信号が出力されていることをユーザは知ることができる。ユーザはまた、入力映像信号色域アイコン１４４Ｂおよび入力信号色度点インジケータアイコン１４４Ｄを見ることで、モニタ表示装置１４０が有する広い色域を活かした表示が行われていることを確認することができる。
【０１４５】
図１４（ｂ）に示されるようなアイコンが表示されることにより、スペクトル再現表示が行われていることをユーザが知ることができることにより、さらに別の効果を得ることが可能となる。すなわち、スペクトル再現表示が行われていれば、観察者メタメリズムが抑制された映像を表示することができるということであり、等色関数の個人差の影響を受けにくい表示が行われている、ということである。スペクトル再現表示が行われていることを確認しながらプレゼンテーションを行うことにより、例えばモニタ表示装置１４０に表示される二つの色を大勢の参加者が観視しているときに、「一方の色が他方の色に比べて赤みがやや強い。」といった論議をすることが可能となる。逆に、スペクトル再現表示が行われていない場合には、観察者メタメリズムの影響によって、表示される色の色味が参加者によって異なる場合がある。従って、表示モードアイコン１４６や色域アイコン１４４を見てスペクトル再現表示が行われていないことを確認できた場合には、表示される映像の色味の微妙な差異を論じることは避けるべきであると判断することが可能となる。
【０１４６】
−  色変換処理前におけるノイズ発生予測  −
図３から図１３を参照して以上に説明した例では、色変換処理をした後にノイズ判定をし、ノイズの発生が予測される場合に別の（優先順位が次に高い）色変換を適用する例を説明したが、本発明はこれに限られるものではない。すなわち、色変換の処理前にノイズ判定が可能な場合にはノイズ判定を先に行い、その判定結果に基づいて選択された色変換方法で色変換処理を行うことも可能である。
【０１４７】
あるスペクトル分布を有する色を多原色で再現する場合に、モニタ表示装置の各原色が有するスペクトル分布と、再現しようとする色のスペクトル分布との関係によっては、ノイズが目立つ場合があることは先に説明したとおりである。通常は、モニタ表示装置で再現しようとする色にノイズの発生が懸念されるスペクトル分布を有しているかどうかは実際に色変換してみないと分からない。しかし、Ｄ２Ｒ情報および観察環境照明光情報に基づいて、あるいはＤ２Ｓ情報に基づいて、事前にノイズ発生を予測することができることがある。このような場合には、ノイズの予測を色変換処理の前に行うことができる。
【０１４８】
測色値で色を再現する際に、モニタ表示装置の各原色が有するスペクトル分布、あるいはモニタ表示装置の各原色を表す測色値と、再現しようとする色の測色値との関係によっては、ノイズが発生する（目立つ）場合があるが、Ｄ２Ｃ情報に基づいて事前にこのノイズ発生を予測できることがある。このような場合には、ノイズの予測を測色値変換処理に先立って行うことができる。
【０１４９】
以上に説明した場合のように、色変換の処理に先立ってノイズ発生の有無を予測できる場合にはそのようにすることが色変換処理に要する負荷を低減して処理時間を短縮する上で望ましい。例えば、動画の入力映像信号に対して逐次色変換の処理を施し、表示するような場合に好適である。
【０１５０】
図１５は、図４に示す処理を、色変換処理前の段階でノイズ発生の予測をするかたちに変更した例を示すフローチャートである。なお、図５、図７、図８、図１０、図１１についても同様の変更をすることになるが、説明が冗長となるのを避けるため、ここでは図４の処理を変更した例のみを示して説明をする。
【０１５１】
図１５に示されるフローチャートの処理は、他のフローチャートと同様に、色変換処理装置１００で実行される。図１５は、図３に示されるＳ３０２の判定処理で、入力映像信号の種類がスペクトル映像信号であると判定された場合に呼び出される、スペクトル入力映像信号処理手順を示している。
【０１５２】
Ｓ１５０１において色変換処理装置１００は、接続されているモニタ表示装置１４０が多原色モニタであるか否かを判定し、肯定される場合にはＳ１５０２に進む一方、否定される場合にはモニタ表示装置１４０が測色値モニタまたはＲＧＢモニタである場合の処理（図１５中で、破線で囲って示される処理）に分岐する。
【０１５３】
Ｓ１５０２において色変換処理装置１００は、入力映像信号中に含まれるＤ２Ｒ情報と、照明特性入力部１１６から入力した観察環境照明光スペクトルに関連する情報とに基づいて、スペクトル表示をしたときにノイズが発生しやすいかどうかの予測処理を行う。Ｓ１５０３において色変換処理装置１００は、上述したＳ１５０２での予測処理結果に基づき、スペクトル表示をしようとしたときの表示映像信号がノイズ発生の可能性を有しているか否かを判定する。
【０１５４】
色変換処理装置１００は、Ｓ１５０３での判定が否定されるとＳ１５１０の処理に分岐してスペクトル表示用の色変換処理を行う一方、肯定された場合にはＳ１５０４に進んで測色値表示時発生ノイズ予測処理を行う。Ｓ１５０４の測色値表示時発生ノイズ予測の処理について説明すると、色変換処理装置１００はＤ２Ｃ情報に基づき、測色値表示をしようとしたときの表示映像信号がノイズを発生しやすいものであるかの予測処理を行う。このＤ２Ｃ情報については、入力したスペクトル映像信号中に含まれるＤ２Ｒ情報と、照明特性入力部１１６から入力した観察環境照明光スペクトルに関連する情報とに基づいて映像表示開始前、あるいはシーンの合間等に色変換処理装置１００の内部で予め生成しておくことが可能である。
【０１５５】
Ｓ１５０５において色変換処理装置１００は、Ｓ１５０４での測色値表示時発生ノイズ予測処理結果に基づき、測色値表示をしようとしたときの表示映像信号がノイズ発生の可能性を有しているか否かを判定する。色変換処理装置１００は、Ｓ１５０５での判定が否定されるとＳ１５０９の処理に分岐して入力映像信号を測色値映像信号に変換する処理を行う一方、肯定された場合にはＳ１５０６に進んでＲＧＢ値変換処理を行う。
【０１５６】
Ｓ１５０７において色変換処理装置１００は、Ｓ１５０９、Ｓ１５１０、あるいはＳ１５０６の処理で得られた表示映像信号をモニタ表示装置１４０に出力する処理を行い、続くＳ１５０８では色変換処理装置１００に映像信号が継続して入力されているか否かの判定を行う。Ｓ１５０８での判定が肯定された（映像信号は継続して入力中と判定された）場合、色変換処理装置１００はＳ１５０２に戻って入力映像信号の処理を継続する一方、否定された場合には図３に示されるメインフローの処理に戻る。
【０１５７】
以上で説明した色変換処理装置１００は、モニタ表示装置１４０から独立した機器として構成することができるが、モニタ表示装置１４０の内部に組み込まれるものであってもよい。その場合、モニタ表示装置の種類は１種類に固定されるので、色変換処理装置１００は入力映像信号の種類に応じて表示形態を変化させることになる。また、色変換処理装置１００が光ディスクプレーヤ等に組み込まれていてもよい。この場合、再生中の光ディスクから読み出される映像信号中に含まれる画像特性特性情報などを入力して上述したような色変換の処理をすることが可能である。
【産業上の利用可能性】
【０１５８】
本発明に係る映像表示の技術は、テレビジョン受像器、ビデオモニタ、コンピュータ用のモニタ、そしてデータ・プロジェクタなどの画像投影装置等を用いた映像表示システムに利用することが可能である。
【図面の簡単な説明】
【０１５９】
【図１】本発明の実施の形態に係る色変換処理装置の概略的構成を説明するブロック図である。
【図２】色変換処理実行部の内部構成を説明するブロック図である。
【図３】色変換処理装置で実行される色変換処理の手順を説明するフローチャートであり、メインフローを示すフローチャートである。
【図４】図３に示すフローチャートの処理によって呼び出される処理手順を説明するフローチャートであり、入力がスペクトル映像信号、モニタ表示装置が多原色モニタの場合の処理を説明するフローチャートである。
【図５】図３に示すフローチャートの処理によって呼び出される処理手順を説明するフローチャートであり、入力がスペクトル映像信号、モニタ表示装置が測色値モニタの場合の処理を説明するフローチャートである。
【図６】図３に示すフローチャートの処理によって呼び出される処理手順を説明するフローチャートであり、入力がスペクトル映像信号、モニタ表示装置がＲＧＢモニタの場合の処理を説明するフローチャートである。
【図７】図３に示すフローチャートの処理によって呼び出される処理手順を説明するフローチャートであり、入力が多バンド測色値映像信号、モニタ表示装置が多原色モニタの場合の処理を説明するフローチャートである。
【図８】図３に示すフローチャートの処理によって呼び出される処理手順を説明するフローチャートであり、入力が多バンド測色値映像信号、モニタ表示装置が測色値モニタの場合の処理を説明するフローチャートである。
【図９】図３に示すフローチャートの処理によって呼び出される処理手順を説明するフローチャートであり、入力が多バンド測色値映像信号、モニタ表示装置がＲＧＢモニタの場合の処理を説明するフローチャートである。
【図１０】図３に示すフローチャートの処理によって呼び出される処理手順を説明するフローチャートであり、入力が測色値映像信号、モニタ表示装置が多原色モニタの場合の処理を説明するフローチャートである。
【図１１】図３に示すフローチャートの処理によって呼び出される処理手順を説明するフローチャートであり、入力が測色値映像信号、モニタ表示装置が測色値モニタの場合の処理を説明するフローチャートである。
【図１２】図３に示すフローチャートの処理によって呼び出される処理手順を説明するフローチャートであり、入力が測色値映像信号、モニタ表示装置がＲＧＢモニタの場合の処理を説明するフローチャートである。
【図１３】図３に示すフローチャートの処理によって呼び出される処理手順を説明するフローチャートであり、入力がＲＧＢ映像信号の場合の処理を説明するフローチャートである。
【図１４】入力される映像信号および接続されるモニタ表示装置の種類に応じてモニタ表示装置上に表示されるアイコンの一例を説明する図であり、（ａ）がＲＧＢモニタ表示装置にスペクトル映像信号が入力される場合の、（ｂ）が多原色モニタ表示装置にスペクトル映像信号が入力される場合の表示例を示す図である。
【図１５】色変換処理装置が色変換処理をする前にノイズ発生可能性の有無を判定可能な場合の処理例を説明するフローチャートである。
【符号の説明】
【０１６０】
１００  …  色変換処理装置
１０２  …  信号入力部
１０４  …  信号分離部
１０６  …  特性情報収集部
１０８  …  画像特性情報収集部
１１０  …  観察環境情報収集部
１１２  …  色変換処理方法選択部
１１４  …  色変換処理実行部
１１６  …  照明特性入力部
１１８  …  モニタ情報入力部
１２０  …  プロファイル抽出部
１２２  …  アルゴリズムモデル判定部
１４０  …  モニタ表示装置
１４２  …  入力信号アイコン
１４４  …  色域アイコン
１４４Ａ  …  可視範囲色域アイコン
１４４Ｂ  …  入力映像信号色域アイコン
１４４Ｃ  …  モニタ色域アイコン
１４４Ｄ  …  入力信号色度点インジケータアイコン
１４６  …  表示モードアイコン
１５０  …  映像信号出力装置
２０２  …  ノイズ発生波形情報記憶部
２０４  …  波形比較・色差判定部
２０６  …  色変換処理部
【図１】
2009094895.tif 000003
【図２】
2009094895.tif 000004
【図３】
2009094895.tif 000005
【図４】
2009094895.tif 000006
【図５】
2009094895.tif 000007
【図６】
2009094895.tif 000008
【図７】
2009094895.tif 000009
【図８】
2009094895.tif 000010
【図９】
2009094895.tif 000011
【図１０】
2009094895.tif 000012
【図１１】
2009094895.tif 000013
【図１２】
2009094895.tif 000014
【図１３】
2009094895.tif 000015
【図１４】
2009094895.tif 000016
【図１５】
2009094895.tif 000017